(57)【要約】  ワイヤレス通信のための方法、システム、およびデバイスが説明される。ユーザ機器および／または基地局などのワイヤレスデバイスが、アクティブ送信ビームが第１の送信ビームから第２の送信ビームに変わったと決定し得、第２の送信ビームは、第１の送信ビームとは異なっている。ワイヤレスデバイスは、第２の送信ビームに関連付けられている基準信号識別子を識別し得る。ワイヤレスデバイスは、識別することに少なくとも部分的に基づいて、基準信号識別子を含むようにチャネル状態情報（ＣＳＩ）リソース設定を更新し得、ここにおいて、ＣＳＩリソース設定は、アクティブ送信ビームに関連付けられている。【選択図】図４
2021515474.tif 000002
【特許請求の範囲】
【請求項１】
ワイヤレスデバイスにおけるワイヤレス通信のための方法であって、
アクティブ送信ビームが第１の送信ビームから第２の送信ビームに変わったと決定することと、前記第２の送信ビームは、前記第１の送信ビームとは異なっており、
前記第２の送信ビームに関連付けられている基準信号識別子を識別することと、
前記識別することに少なくとも部分的に基づいて、前記基準信号識別子を含むようにチャネル状態情報（ＣＳＩ）リソース設定を更新することと、ここにおいて、前記ＣＳＩリソース設定は、前記アクティブ送信ビームに関連付けられている、
を備える方法。
【請求項２】
前記基準信号識別子のインジケーションを提供する送信構成インデックスを受信することと、
前記送信構成インデックスにおいて示されている前記基準信号識別子の前記インジケーションに少なくとも部分的に基づいて、前記アクティブ送信ビームが前記第２の送信ビームに変わったと決定することと
をさらに備える、請求項１に記載の方法。
【請求項３】
前記送信構成インデックスから前記基準信号識別子を識別すること
をさらに備える、請求項２に記載の方法。
【請求項４】
前記アクティブ送信ビームが前記第２の送信ビームに変わったと決定することに少なくとも部分的に基づいて、前記基準信号識別子のインジケーションを提供する送信構成インデックスを構成することと、
前記送信構成インデックスを送信することと
をさらに備える、請求項１に記載の方法。
【請求項５】
前記アクティブ送信ビームが変わったと決定することは、
前記第２の送信ビーム上でランダムアクセスチャネル（ＲＡＣＨ）信号を受信すること
を備える、請求項１に記載の方法。
【請求項６】
前記第２の送信ビームに関連付けられている前記基準信号識別子を識別することは、
前記ＲＡＣＨ信号に関連付けられた基準信号を識別すること
を備える、請求項５に記載の方法。
【請求項７】
ビーム障害インジケーションを識別すること、ここにおいて、前記第２の送信ビームに関連付けられた前記基準信号識別子を識別することは、ビーム障害回復送信ビームに少なくとも部分的に基づく、
をさらに備える、請求項１に記載の方法。
【請求項８】
前記第２の送信ビームに関連付けられている前記基準信号識別子は、前記アクティブ送信ビームのビーム障害検出のために使用される基準信号の識別子を備える、請求項１に記載の方法。
【請求項９】
リソースセット中で識別される１つまたは複数の基準信号に対してチャネル測定プロシージャを実行することと、
前記チャネル測定プロシージャの結果に関連付けられた情報を備えるフィードバックメッセージを送信することと
をさらに備える、請求項１に記載の方法。
【請求項１０】
測定リンクを示すトリガ信号を受信すること、前記測定リンクは、前記チャネル測定プロシージャを前記リソースセットに関連付ける情報を備え、ここにおいて、前記チャネル測定プロシージャは、前記トリガ信号に応答して、および前記トリガ信号に少なくとも部分的に基づいて開始される、
をさらに備える、請求項９に記載の方法。
【請求項１１】
利用可能な基準信号の構成されたセットを識別すること、ここにおいて、前記第２の送信ビームに関連付けられた前記基準信号識別子を識別することは、利用可能な基準信号の前記構成されたセットに少なくとも部分的に基づく、
をさらに備える、請求項１に記載の方法。
【請求項１２】
前記基準信号識別子が利用可能な基準信号の前記構成されたセットに含まれていないと決定することと、
送信構成インデックスから前記基準信号識別子を識別することと
をさらに備える、請求項１１に記載の方法。
【請求項１３】
前記アクティブ送信ビームは、制御チャネル、またはデータチャネル、あるいは前記制御チャネルと前記データチャネルとの両方に関連付けられている、請求項１に記載の方法。
【請求項１４】
前記アクティブ送信ビームは、構成された制御リソースのサブセットに関連付けられている、請求項１に記載の方法。
【請求項１５】
第１のシンボルのための第１の制御リソースと第２のシンボルのための第２の制御リソースとを示す構成信号を受信することと、ここにおいて、前記構成信号は、チャネル測定のために利用可能であるとして、前記第１の制御リソースまたは前記第２の制御リソースのいずれかを識別し、
前記構成信号に少なくとも部分的に基づいて、前記識別された第１の制御リソースまたは前記識別された第２の制御リソースのいずれかを含むように前記ＣＳＩリソース設定を更新することと
をさらに備える、請求項１に記載の方法。
【請求項１６】
前記ＣＳＩリソース設定を更新することは、前記基準信号識別子を含むようにリソースセットを更新することを備える、請求項１に記載の方法。
【請求項１７】
前記リソースセットは、１つまたは複数の基準信号識別子を備え、各基準信号識別子は、対応するアクティブ送信ビームに関連付けられている、請求項１６に記載の方法。
【請求項１８】
前記基準信号識別子は、同期信号ブロック（ＳＳＢ）基準信号、または物理ブロードキャストチャネル（ＰＢＣＨ）ブロック基準信号、またはＣＳＩ基準信号、またはサウンディング基準信号（ＳＲＳ）、またはビーム基準信号（ＢＲＳ）、またはビームリファインメント基準信号（ＢＲＲＳ）、または追跡基準信号（ＴＲＳ）、またはこれらの組合せのうちの少なくとも１つに関連付けられた識別子を備える、請求項１に記載の方法。
【請求項１９】
前記ＣＳＩリソース設定を更新することは、
前記アクティブ送信ビーム変更に少なくとも部分的に基づいて、前記ＣＳＩリソース設定から前記第１の送信ビームに関連付けられた前記基準信号識別子を除外すること
を備える、請求項１に記載の方法。
【請求項２０】
ワイヤレス通信のための装置であって、
アクティブ送信ビームが第１の送信ビームから第２の送信ビームに変わったと決定するための手段と、前記第２の送信ビームは、前記第１の送信ビームとは異なっており、
前記第２の送信ビームに関連付けられている基準信号識別子を識別するための手段と、
前記識別することに少なくとも部分的に基づいて、前記基準信号識別子を含むようにチャネル状態情報（ＣＳＩ）リソース設定を更新するための手段と、ここにおいて、前記ＣＳＩリソース設定は、前記アクティブ送信ビームに関連付けられている、
を備える装置。
【請求項２１】
前記基準信号識別子のインジケーションを提供する送信構成インデックスを受信するための手段と、
前記送信構成インデックスにおいて示されている前記基準信号識別子の前記インジケーションに少なくとも部分的に基づいて、前記アクティブ送信ビームが前記第２の送信ビームに変わったと決定するための手段と
をさらに備える、請求項２０に記載の装置。
【請求項２２】
前記送信構成インデックスから前記基準信号識別子を識別するための手段
をさらに備える、請求項２１に記載の装置。
【請求項２３】
前記アクティブ送信ビームが前記第２の送信ビームに変わったと決定することに少なくとも部分的に基づいて、前記基準信号識別子のインジケーションを提供する送信構成インデックスを構成するための手段と、
前記送信構成インデックスを送信するための手段と
をさらに備える、請求項２０に記載の装置。
【請求項２４】
前記アクティブ送信ビームが変わったと前記決定するための手段は、
前記第２の送信ビーム上でランダムアクセスチャネル（ＲＡＣＨ）信号を受信するための手段
をさらに備える、請求項２０に記載の装置。
【請求項２５】
前記第２の送信ビームに関連付けられている前記基準信号識別子を前記識別するための手段は、
前記ＲＡＣＨ信号に関連付けられた基準信号を識別するための手段
をさらに備える、請求項２４に記載の装置。
【請求項２６】
ビーム障害インジケーションを識別するための手段、ここにおいて、前記第２の送信ビームに関連付けられた前記基準信号識別子を識別することは、ビーム障害回復送信ビームに少なくとも部分的に基づく、
をさらに備える、請求項２０に記載の装置。
【請求項２７】
前記第２の送信ビームに関連付けられている前記基準信号識別子は、前記アクティブ送信ビームのビーム障害検出のために使用される基準信号の識別子を備える、請求項２０に記載の装置。
【請求項２８】
リソースセット中で識別される１つまたは複数の基準信号に対してチャネル測定プロシージャを実行するための手段と、
前記チャネル測定プロシージャの結果に関連付けられた情報を備えるフィードバックメッセージを送信するための手段と
をさらに備える、請求項２０に記載の装置。
【請求項２９】
測定リンクを示すトリガ信号を受信するための手段、前記測定リンクは、前記チャネル測定プロシージャを前記リソースセットに関連付ける情報を備え、ここにおいて、前記チャネル測定プロシージャは、前記トリガ信号に応答して、および前記トリガ信号に少なくとも部分的に基づいて開始される、
をさらに備える、請求項２８に記載の装置。
【請求項３０】
利用可能な基準信号の構成されたセットを識別するための手段、ここにおいて、前記第２の送信ビームに関連付けられた前記基準信号識別子を識別することは、利用可能な基準信号の前記構成されたセットに少なくとも部分的に基づく、
をさらに備える、請求項２０に記載の装置。
【請求項３１】
前記基準信号識別子が利用可能な基準信号の前記構成されたセットに含まれていないと決定するための手段と、
送信構成インデックスから前記基準信号識別子を識別するための手段と
をさらに備える、請求項３０に記載の装置。
【請求項３２】
前記アクティブ送信ビームは、制御チャネル、またはデータチャネル、あるいは前記制御チャネルと前記データチャネルとの両方に関連付けられている、請求項２０に記載の装置。
【請求項３３】
前記アクティブ送信ビームは、構成された制御リソースのサブセットに関連付けられている、請求項２０に記載の装置。
【請求項３４】
第１のシンボルのための第１の制御リソースと第２のシンボルのための第２の制御リソースとを示す構成信号を受信するための手段と、ここにおいて、前記構成信号は、チャネル測定のために利用可能であるとして、前記第１の制御リソースまたは前記第２の制御リソースのいずれかを識別し、
前記構成信号に少なくとも部分的に基づいて、前記識別された第１の制御リソースまたは前記識別された第２の制御リソースのいずれかを含むように前記ＣＳＩリソース設定を更新するための手段と
をさらに備える、請求項２０に記載の装置。
【請求項３５】
前記ＣＳＩリソース設定を前記更新するための手段は、前記基準信号識別子を含むようにリソースセットを更新するための手段をさらに備える、請求項２０に記載の装置。
【請求項３６】
前記リソースセットは、１つまたは複数の基準信号識別子を備え、各基準信号識別子は、対応するアクティブ送信ビームに関連付けられている、請求項３５に記載の装置。
【請求項３７】
前記基準信号識別子は、同期信号ブロック（ＳＳＢ）基準信号、または物理ブロードキャストチャネル（ＰＢＣＨ）ブロック基準信号、またはＣＳＩ基準信号、またはサウンディング基準信号（ＳＲＳ）、またはビーム基準信号（ＢＲＳ）、またはビームリファインメント基準信号（ＢＲＲＳ）、または追跡基準信号（ＴＲＳ）、またはこれらの組合せ、を備えるのうちの少なくとも１つに関連付けられた識別子を備える、請求項２０に記載の装置。
【請求項３８】
ワイヤレス通信のための装置であって、
プロセッサと、
前記プロセッサと電子通信状態にあるメモリと、
前記装置に、
アクティブ送信ビームが第１の送信ビームから第２の送信ビームに変わったと決定することと、前記第２の送信ビームは、前記第１の送信ビームとは異なっており、
前記第２の送信ビームに関連付けられている基準信号識別子を識別することと、
前記識別することに少なくとも部分的に基づいて、前記基準信号識別子を含むようにチャネル状態情報（ＣＳＩ）リソース設定を更新することと、ここにおいて、前記ＣＳＩリソース設定は、前記アクティブ送信ビームに関連付けられている、
を行わせるように、前記プロセッサによって実行可能でありかつ前記メモリに記憶された命令と
を備える装置。
【請求項３９】
ワイヤレス通信のためのコードを記憶した非一時的なコンピュータ可読媒体であって、前記コードは、
アクティブ送信ビームが第１の送信ビームから第２の送信ビームに変わったと決定することと、前記第２の送信ビームは、前記第１の送信ビームとは異なっており、
前記第２の送信ビームに関連付けられている基準信号識別子を識別することと、
前記識別することに少なくとも部分的に基づいて、前記基準信号識別子を含むようにチャネル状態情報（ＣＳＩ）リソース設定を更新することと、ここにおいて、前記ＣＳＩリソース設定は、前記アクティブ送信ビームに関連付けられている、
を行うようにプロセッサによって実行可能な命令を備える、非一時的なコンピュータ可読媒体。
【発明の詳細な説明】
【相互参照】
【０００１】
[0001]  本特許出願は、２０１９年２月２１日に出願された「Beam Reporting for Active Beams」と題するＳａｄｉｑ他による米国特許出願第１６／２８１，３２９号、および２０１８年２月２７日に出願された「Beam Reporting for Active Beams」と題するＳａｄｉｑ他による米国仮特許出願第６２／６３６，１４１号の優先権を主張し、これらの各々は、本譲受人に譲渡され、本明細書に明確に組み込まれている。
【背景技術】
【０００２】
[0002]  以下は、一般にワイヤレス通信に関し、より具体的には、アクティブビーム（active beam）のためのビーム報告（beam reporting）に関する。
【０００３】
[0003]  ワイヤレス通信システムは、音声、ビデオ、パケットデータ、メッセージング、ブロードキャストなどのような様々なタイプの通信コンテンツを提供するために広く展開されている。これらのシステムは、利用可能なシステムリソース（例えば、時間、周波数、および電力）を共有することによって、複数のユーザとの通信をサポートすることが可能であり得る。このような多元接続システムの例は、ロングタームエボリューション（ＬＴＥ（登録商標））システム、ＬＴＥアドバンスト（ＬＴＥ−Ａ）システム、またはＬＴＥ−Ａ  Ｐｒｏシステムなどの第４世代（４Ｇ）システムと、新無線（ＮＲ：New Radio）システムと呼ばれ得る第５世代（５Ｇ）システムとを含む。これらのシステムは、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、または離散フーリエ変換拡散ＯＦＤＭ（ＤＦＴ−Ｓ−ＯＦＤＭ）などの技術を用い得る。ワイヤレス多元接続通信システムは、いくつかの基地局（base station）またはネットワークアクセスノードを含み得、各々が、別名ユーザ機器（ＵＥ：user equipment）として知られ得る複数の通信デバイスのための通信を同時にサポートする。
【０００４】
[0004]  ワイヤレス通信システムは、例えば、２８ＧＨｚ、４０ＧＨｚ、６０ＧＨｚなどの、ミリメートル波（ｍｍＷ：millimeter wave）周波数範囲で動作し得る。これらの周波数でのワイヤレス通信（wireless communication）は、信号減衰の増大（例えば、経路損失）に関連付けられ得、これは、温度、気圧、回折（diffraction）などのような、様々な要因によって影響され得る。結果として、ビームフォーミング（beamforming）などの信号処理技法が、エネルギーをコヒーレントに組み合わせ、これらの周波数における経路損失を克服するために使用され得る。ｍｍＷ通信システムにおける経路損失（path loss）の量の増大により、基地局および／またはＵＥからの送信は、ビームフォーミングされ得る。さらに、受信デバイスは、送信が指向性方式で受信されるように（１つまたは複数の）アンテナおよび／または（１つまたは複数の）アンテナアレイを構成するために、ビームフォーミング技法を使用し得る。
【０００５】
[0005]  いくつかの態様では、ワイヤレス通信システムは、候補送信ビームを識別（identify）するために、チャネル測定（channel measurement）および報告技法を利用し得る。例えば、基地局および／またはＵＥは、１つまたは複数の候補送信ビームについてのチャネル性能メトリックを測定し、測定の結果に基づいて、フィードバックメッセージ（feedback message）を送信し得る。したがって、基地局および／またはＵＥは、現在のアクティブビームが利用不可能になるか、またはさもなければ継続した使用に適さなくなる場合には、それに切り替えることができる利用可能な候補ビーム（candidate beam）の現在のリストを維持し得る。
【０００６】
[0006]  一般に、ワイヤレス通信システムは、ワイヤレスデバイス（wireless device）間で制御情報および／またはデータ情報を通信するために、（１つまたは複数の）アクティブ送信ビーム（active transmit beam）を使用し得る。例えば、（１つまたは複数の）アクティブ送信ビームは、通信されている制御情報および／またはデータ情報のための（for）指向性、利得、および同様のものを提供するために、（例えば、ダウンリンク通信のために）基地局によって、または（例えば、アップリンク通信のために）ＵＥによって使用され得る。
【０００７】
[0007]  いくつかの態様では、現在のアクティブ送信ビームについての測定報告（measurement report）を取得するために、基地局および／またはＵＥにおいて実行しなければならない複雑でタイムリーな一連のステップが存在する。例えば、従来の技法は、現在アクティブな送信ビームの変更に応答して、チャネル状態情報（ＣＳＩ：channel state information）リソース設定（resource setting）を構成または更新（update）するために、無線リソース制御（ＲＲＣ：radio resource control）シグナリングを使用する基地局を含み得る。基地局は、基地局がＵＥにどの基準信号（reference signal）を測定およびそれについて報告してほしいかのインジケーション（indication）を提供するために、ＣＳＩリソース設定（CSI resource setting）を構成し得る。測定および報告がトリガされるたびに、ＵＥは、ＣＳＩリソース設定を読み取り、それに応じてチャネル測定および報告を実行するように構成され得る。しかしながら、アクティブ送信ビームは、ＲＲＣシグナリングがＣＳＩリソース設定の更新をサポートできるよりも頻繁に変わり得る。これは、アクティブ送信ビームのための測定報告を取得する際に、過剰なシグナリング（excessive signaling）および／または時間遅延（time delay）をもたらし得る。
【発明の概要】
【０００８】
[0008]  説明される技法は、アクティブビームのためのビーム報告をサポートする改善された方法、システム、デバイス、および装置（apparatus）に関する。一般に、説明される技法は、ワイヤレスデバイスが、どの基準信号が使用されているかに基づいて、アクティブ送信ビームを決定（determine）することができ、またはその逆も同様であるように、ある特定の基準信号を対応する利用可能な送信ビームに関連付けることを提供する。対応するアクティブ送信ビームのために使用されている基準信号の知識に基づいて、ワイヤレスデバイスは、アクティブ送信ビームのビーム品質を報告するために、基準信号に対してチャネル測定を実行し得る。例えば、第１のワイヤレスデバイス（例えば、ユーザ機器（ＵＥ）および／または基地局）は、アクティブ送信ビームとして第１の送信ビーム（active transmit beam）を使用していることがあり得る。アクティブ送信ビームは、制御情報および／またはデータ情報を通信するために使用され得る。様々な理由から、第１のワイヤレスデバイスは、新しいアクティブ送信ビームとして、第１の送信ビームから第２の送信ビーム（second transmit beam）に変更し得る。
【０００９】
[0009]  第２のワイヤレスデバイス（例えば、基地局および／またはＵＥ）は、特定の基準信号をアクティブ送信ビームとして使用され得る各送信ビームに関連付ける、例えば、ルックアップテーブル（lookup table）などを用いて構成され得る。したがって、第２のワイヤレスデバイスは、第２の送信ビーム、例えば、新しいアクティブ送信ビームに関連付けられている（例えば、特定の基準信号のためのインデックス番号などの）基準信号識別子（reference signal identifier）を識別し得る。いくつかの態様では、いったん第２のワイヤレスデバイスが現在アクティブな送信ビームのための基準信号識別子を知ると、チャネル状態情報（ＣＳＩ）リソース設定が、この基準信号識別子を含むように更新され得る。例えば、ＣＳＩリソース設定のリソースセット（resource set）が、第１のワイヤレスデバイスのアクティブ送信ビームのために作成され得る。一般に、リソースセットは、第１のワイヤレスが使用している（１つまたは複数の）現在アクティブな送信ビームの一部または全てのための基準信号識別子を含み得る。第２のワイヤレスデバイスは、リソースセット中で識別される基準信号に対してチャネル測定を実行し、チャネル測定に基づいて、第１のワイヤレスデバイスにフィードバック信号（feedback signal）を送信し得る。したがって、説明される技法は、第２のワイヤレスデバイスが、新しい送信ビームが第１のワイヤレスデバイスのアクティブ送信ビームになったときを識別し、新しいアクティブ送信ビームについてのチャネル性能フィードバック報告（channel performance feedback reporting）を提供することを可能にする。
【００１０】
[0010]  ワイヤレスデバイスにおけるワイヤレス通信の方法が説明される。方法は、アクティブ送信ビームが第１の送信ビームから第２の送信ビームに変わったと決定することと、第２の送信ビームは、第１の送信ビームとは異なっており、第２の送信ビームに関連付けられている基準信号識別子を識別することと、識別することに少なくとも部分的に基づいて、基準信号識別子を含むようにＣＳＩリソース設定を更新することと、ここにおいて、ＣＳＩリソース設定は、アクティブ送信ビームに関連付けられている、を含み得る。
【００１１】
[0011]  ワイヤレスデバイスにおけるワイヤレス通信のための装置が説明される。装置は、プロセッサ（processor）と、プロセッサと電子通信状態にあるメモリ（memory）と、メモリに記憶された命令（instruction）とを含み得る。命令は、装置に、アクティブ送信ビームが第１の送信ビームから第２の送信ビームに変わったと決定することと、第２の送信ビームは、第１の送信ビームとは異なっており、第２の送信ビームに関連付けられている基準信号識別子を識別することと、識別することに少なくとも部分的に基づいて、基準信号識別子を含むようにＣＳＩリソース設定を更新することと、ここにおいて、ＣＳＩリソース設定は、アクティブ送信ビームに関連付けられている、を行わせるようにプロセッサによって実行可能であり得る。
【００１２】
[0012]  ワイヤレスデバイスにおけるワイヤレス通信のための別の装置が説明される。装置は、アクティブ送信ビームが第１の送信ビームから第２の送信ビームに変わったと決定するための手段と、第２の送信ビームは、第１の送信ビームとは異なっており、第２の送信ビームに関連付けられている基準信号識別子を識別するための手段と、識別することに少なくとも部分的に基づいて、基準信号識別子を含むようにＣＳＩリソース設定を更新するための手段と、ここにおいて、ＣＳＩリソース設定は、アクティブ送信ビームに関連付けられている、を含み得る。
【００１３】
[0013]  ワイヤレスデバイスにおけるワイヤレス通信のためのコード（code）を記憶した非一時的なコンピュータ可読媒体（non-transitory computer-readable medium）が説明される。コードは、アクティブ送信ビームが第１の送信ビームから第２の送信ビームに変わったと決定することと、第２の送信ビームは、第１の送信ビームとは異なっており、第２の送信ビームに関連付けられている基準信号識別子を識別することと、識別することに少なくとも部分的に基づいて、基準信号識別子を含むようにＣＳＩリソース設定を更新することと、ここにおいて、ＣＳＩリソース設定は、アクティブ送信ビームに関連付けられている、を行うようにプロセッサによって実行可能な命令を含み得る。
【００１４】
[0014]  本明細書で説明される方法、装置、および非一時的なコンピュータ可読媒体のいくつかの例は、基準信号識別子のインジケーションを提供する送信構成インデックス（transmission configuration index）を受信するための動作、特徴、手段、または命令をさらに含み得る。本明細書で説明される方法、装置、および非一時的なコンピュータ可読媒体のいくつかの例は、送信構成インデックスにおいて示されている基準信号識別子のインジケーションに少なくとも部分的に基づいて、アクティブ送信ビームが第２の送信ビームに変わった可能性があると決定するための動作、特徴、手段、または命令をさらに含み得る。
【００１５】
[0015]  本明細書で説明される方法、装置、および非一時的なコンピュータ可読媒体のいくつかの例は、送信構成インデックスから基準信号識別子を識別するための動作、特徴、手段、または命令をさらに含み得る。
【００１６】
[0016]  本明細書で説明される方法、装置、および非一時的なコンピュータ可読媒体のいくつかの例は、アクティブ送信ビームが第２の送信ビームに変わった可能性があると決定することに少なくとも部分的に基づいて、基準信号識別子のインジケーションを提供する送信構成インデックスを構成するための動作、特徴、手段、または命令をさらに含み得る。本明細書で説明される方法、装置、および非一時的なコンピュータ可読媒体のいくつかの例は、送信構成インデックスを送信するための動作、特徴、手段、または命令をさらに含み得る。
【００１７】
[0017]  本明細書で説明される方法、装置、および非一時的なコンピュータ可読媒体のいくつかの例では、アクティブ送信ビームが変わった可能性があると決定することは、第２の送信ビーム上でランダムアクセスチャネル（ＲＡＣＨ：random access channel）信号を受信することを備える。
【００１８】
[0018]  本明細書で説明される方法、装置、および非一時的なコンピュータ可読媒体のいくつかの例では、第２の送信ビームに関連付けられ得る基準信号識別子を識別することは、ＲＡＣＨ信号に関連付けられた基準信号を識別することを備える。
【００１９】
[0019]  本明細書で説明される方法、装置、および非一時的なコンピュータ可読媒体のいくつかの例は、ビーム障害インジケーション（beam failure indication）を識別するための動作、特徴、手段、または命令をさらに含み得、ここにおいて、第２の送信ビームに関連付けられた基準信号識別子を識別することは、ビーム障害回復送信ビーム（beam failure recovery transmit beam）に少なくとも部分的に基づき得る。
【００２０】
[0020]  本明細書で説明される方法、装置、および非一時的なコンピュータ可読媒体のいくつかの例では、第２の送信ビームに関連付けられ得る基準信号識別子は、アクティブ送信ビームのビーム障害検出（beam failure detection）のために使用され得る基準信号の識別子（reference signal identifier）を備える。
【００２１】
[0021]  本明細書で説明される方法、装置、および非一時的なコンピュータ可読媒体のいくつかの例は、リソースセット中で識別され得る１つまたは複数の基準信号に対してチャネル測定プロシージャ（channel measurement procedure）を実行するための動作、特徴、手段、または命令をさらに含み得る。本明細書で説明される方法、装置、および非一時的なコンピュータ可読媒体のいくつかの例は、チャネル測定プロシージャの結果に関連付けられた情報（information）を備えるフィードバックメッセージを送信するための動作、特徴、手段、または命令をさらに含み得る。
【００２２】
[0022]  本明細書で説明される方法、装置、および非一時的なコンピュータ可読媒体のいくつかの例は、測定リンク（measurement link）を示すトリガ信号を受信するための動作、特徴、手段、または命令をさらに含み得、測定リンクは、チャネル測定プロシージャをリソースセットに関連付ける情報を備え、ここにおいて、チャネル測定プロシージャは、トリガ信号に応答して、およびトリガ信号に少なくとも部分的に基づいて開始され得る。
【００２３】
[0023]  本明細書で説明される方法、装置、および非一時的なコンピュータ可読媒体のいくつかの例は、利用可能な基準信号の構成されたセット（configured set）を識別するための動作、特徴、手段、または命令をさらに含み得、ここにおいて、第２の送信ビームに関連付けられた基準信号識別子を識別することは、利用可能な基準信号の構成されたセットに少なくとも部分的に基づき得る。
【００２４】
[0024]  本明細書で説明される方法、装置、および非一時的なコンピュータ可読媒体のいくつかの例は、基準信号識別子が、利用可能な基準信号の構成されたセットに含まれない場合があることを決定するための動作、特徴、手段、または命令をさらに含み得る。本明細書で説明される方法、装置、および非一時的なコンピュータ可読媒体のいくつかの例は、送信構成インデックスから基準信号識別子を識別するための動作、特徴、手段、または命令をさらに含み得る。
【００２５】
[0025]  本明細書で説明される方法、装置、および非一時的なコンピュータ可読媒体のいくつかの例では、アクティブ送信ビームは、制御チャネル（control channel）、またはデータチャネル（data channel）、あるいは制御チャネルとデータチャネルとの両方に関連付けられ得る。
【００２６】
[0026]  本明細書で説明される方法、装置、および非一時的なコンピュータ可読媒体のいくつかの例では、アクティブ送信ビームは、構成された制御リソース（configured control resource）のサブセット（subset）に関連付けられ得る。
【００２７】
[0027]  本明細書で説明される方法、装置、および非一時的なコンピュータ可読媒体のいくつかの例は、第１のシンボル（first symbol）のための第１の制御リソース（first control resource）と第２のシンボル（second symbol）のための第２の制御リソース（second control resource）とを示す構成信号（configuration signal）を受信するための動作、特徴、手段、または命令をさらに含み得、ここにおいて、構成信号は、チャネル測定のために利用可能であるとして、第１の制御リソースまたは第２の制御リソースのいずれかを識別する。本明細書で説明される方法、装置、および非一時的なコンピュータ可読媒体のいくつかの例は、構成信号に少なくとも部分的に基づいて、識別された第１の制御リソースまたは識別された第２の制御リソースのいずれかを含むようにＣＳＩリソース設定を更新するための動作、特徴、手段、または命令をさらに含み得る。
【００２８】
[0028]  本明細書で説明される方法、装置、および非一時的なコンピュータ可読媒体のいくつかの例では、ＣＳＩリソース設定を更新することは、基準信号識別子を含むようにリソースセットを更新するための動作、特徴、手段、または命令を含み得る。
【００２９】
[0029]  本明細書で説明される方法、装置、および非一時的なコンピュータ可読媒体のいくつかの例では、リソースセットは、１つまたは複数の基準信号識別子を備え、ここにおいて、各基準信号識別子は、対応するアクティブ送信ビームに関連付けられ得る。
【００３０】
[0030]  本明細書で説明される方法、装置、および非一時的なコンピュータ可読媒体のいくつかの例では、基準信号識別子は、同期信号ブロック（ＳＳＢ：synchronization signal block）基準信号、または物理ブロードキャストチャネル（ＰＢＣＨ：physical broadcast channel）ブロック基準信号（block reference signal）、またはＣＳＩ基準信号、またはサウンディング基準信号（ＳＲＳ：sounding reference signal）、またはビーム基準信号（ＢＲＳ：beam reference signal）、またはビームリファインメント基準信号（ＢＲＲＳ：beam refinement reference signal）、または追跡基準信号（ＴＲＳ：tracking reference signal）、またはこれらの組合せを備える。
【図面の簡単な説明】
【００３１】
【図１】[0031]  図１は、本開示の態様による、アクティブビームのためのビーム報告をサポートするワイヤレス通信システムの例を例示する。
【図２】[0032]  図２は、本開示の態様による、アクティブビームのためのビーム報告をサポートするワイヤレス通信システムの例を例示する。
【図３】[0033]  図３は、本開示の態様による、アクティブビームのためのビーム報告をサポートするフローチャートの例を例示する。
【図４】[0034]  図４は、本開示の態様による、アクティブビームのためのビーム報告をサポートするプロセスの例を例示する。
【図５】[0035]  図５は、本開示の態様による、アクティブビームのためのビーム報告をサポートするデバイスのブロック図を示す。
【図６】図６は、本開示の態様による、アクティブビームのためのビーム報告をサポートするデバイスのブロック図を示す。
【図７】[0036]  図７は、本開示の態様による、アクティブビームのためのビーム報告をサポートするデバイスのブロック図を示す。
【図８】[0037]  図８は、本開示の態様による、アクティブビームのためのビーム報告をサポートするユーザ機器（ＵＥ）を含むシステムの図を示す。
【図９】[0038]  図９は、本開示の態様による、アクティブビームのためのビーム報告をサポートする基地局を含むシステムの図を示す。
【図１０】[0039]  図１０は、本開示の態様による、アクティブビームのためのビーム報告をサポートする方法を例示するフローチャートを示す。
【図１１】図１１は、本開示の態様による、アクティブビームのためのビーム報告をサポートする方法を例示するフローチャートを示す。
【図１２】図１２は、本開示の態様による、アクティブビームのためのビーム報告をサポートする方法を例示するフローチャートを示す。
【詳細な説明】
【００３２】
[0040]  いくつかのワイヤレス通信システムは、ミリメートル波（ｍｍＷ）周波数範囲（例えば、２８ＧＨｚ、４０ＧＨｚ、６０ＧＨｚなど）で動作し得る。いくつかのケースでは、これらの周波数でのワイヤレス通信は、信号減衰の増大（例えば、経路損失）に関連付けられ得、これは、温度、気圧、回折などのような、様々な要因によって影響され得る。結果として、ビームフォーミング（すなわち、指向性送信）などの信号処理技法が、信号エネルギーをコヒーレントに組み合わせ、特定のビーム方向における経路損失を克服するために使用され得る。いくつかのケースでは、デバイスは、いくつかの候補ビームの中から最強のビーム（strongest beam）を選択することによって、ネットワークと通信するためのアクティブビームを選択し得る。
【００３３】
[0041]  一般に、ユーザ機器（ＵＥ）および／または基地局などのワイヤレスデバイスは、１つまたは複数のアクティブ送信ビームを含むビームフォーミング技法を使用してワイヤレス通信を実行していることがあり得る。例えば、ワイヤレスデバイスは、第２のワイヤレスデバイスにデータを送信するために、１つのアクティブ送信ビーム、および第２のワイヤレスデバイスに制御情報を送信するために、異なるアクティブ送信ビームを使用していることがあり得る。いくつかの態様では、ワイヤレスデバイスは、それを用いて通信が実行されている、各ワイヤレスデバイスについての１つまたは複数のアクティブ送信ビームを有し得る。いくつかの態様では、ワイヤレスデバイスにとっては、現在アクティブな送信ビームのチャネル性能に関するフィードバック情報を受信することが有益であり得る。しかしながら、従来の技法は、タイムリーに現在アクティブな送信ビームを用いて第２のワイヤレスデバイスを構成するワイヤレスデバイスをサポートしない。例えば、いくつかのケースでは、アクティブ送信ビームは、ワイヤレスデバイスが、アクティブ送信ビームを用いて第２のワイヤレスデバイスを構成し、チャネル性能フィードバック情報（channel performance feedback information）を要求し得る前に変わり得る。
【００３４】
[0042]  本開示の態様は、ワイヤレス通信システムのコンテキストにおいて、最初に説明される。一般に、説明される技法の態様は、ワイヤレスデバイスが、それを用いて通信が実行されているアクティブ送信ビームに関連付けられている基準信号を識別することを可能にする、効率的かつ迅速なメカニズムを提供する。例えば、第１のワイヤレスデバイスおよび第２のワイヤレスデバイスは、１つまたは複数のアクティブ送信ビームを含むビームフォーミング技法を使用して、ワイヤレス通信を実行していることがあり得る。いくつかのケースでは、第１のワイヤレスデバイスのアクティブ送信ビームは、例えば、第１の送信ビームから第２の送信ビームに変わり得る。第２のワイヤレスデバイスは、第１のワイヤレスデバイスのアクティブ送信ビームが第２の送信ビームに変わったと決定し得る。したがって、第２のワイヤレスデバイスは、第２の送信ビームに関連付けられている基準信号識別子を識別し得る。例えば、ワイヤレスデバイスは、各利用可能な送信ビームを対応する基準信号識別子に関連付ける情報を用いて構成され得る。したがって、第２の送信ビームが今のアクティブ送信ビームであるという情報に基づいて、第２のワイヤレスデバイスは、同じアンテナポートを使用する、同じアンテナ構成を使用する、第２の送信ビームに対して擬似コロケート（ＱＣＬ：quasi co-located）されている、およびその他同様の基準信号を、第２の送信ビームとして識別し得る。
【００３５】
[0043]  いくつかの態様では、第２のワイヤレスデバイスは、基準信号識別子を含むようにチャネル状態情報（ＣＳＩ）リソース設定を更新し得る。例えば、第２のワイヤレスデバイスは、第１のワイヤレスデバイスの（１つまたは複数の）アクティブ送信ビームに関連付けられているＣＳＩリソース設定のリソースセットを作成および／または維持し得、逆もまた同様である。第２のワイヤレスデバイスは、第１のワイヤレスデバイスのアクティブ送信ビームが変わった任意の時にリソースセットを更新し得、これにより、第２のワイヤレスデバイスは、第１のワイヤレスデバイスのアクティブ送信ビームのチャネル性能を報告するために、どの基準信号がそれに対するチャネル測定を実行するために使用され得るかを常に知っている。次いで、第２のワイヤレスデバイスは、第１のワイヤレスデバイスにそのアクティブ送信ビームについてのチャネル性能情報を提供するために、アクティブ送信ビームに関連付けられた基準信号のチャネル測定値に基づいて、第１のワイヤレスデバイスにフィードバックメッセージを提供し得る。いくつかの態様では、第２のワイヤレスデバイスは、今現在使われていない（now-obsolete）送信ビーム、例えば、第１の送信ビームに関連付けられた基準信号識別子を除外するように、ＣＳＩリソース設定をさらに更新し得る。第２のワイヤレスデバイスは、識別子（identifier）がもはやいかなるアクティブ送信ビームにも関連付けられていない場合、送信ビーム変更後に関連付けられた基準信号識別子を除外し得る。例えば、第２のデバイスは、ＣＳＩリソース設定が（１つまたは複数の）現在アクティブな送信ビームのみのための基準信号識別子を含むように、全ての現在使われていない基準信号識別子をＣＳＩリソース設定から消去し得る。
【００３６】
[0044]  本開示の態様はさらに、アクティブビームのためのビーム報告に関する装置図、システム図、およびフローチャートによって例示され、それらを参照して説明される。
【００３７】
[0045]  図１は、本開示の態様による、アクティブビームのためのビーム報告をサポートするワイヤレス通信システム１００の例を例示する。ワイヤレス通信システム１００は、基地局１０５、ＵＥ１１５、およびコアネットワーク１３０を含む。いくつかの例では、ワイヤレス通信システム１００は、ロングタームエボリューション（ＬＴＥ）ネットワーク、ＬＴＥアドバンスト（ＬＴＥ−Ａ）ネットワーク、ＬＴＥ−Ａ  Ｐｒｏネットワーク、または新無線（ＮＲ）ネットワークであり得る。いくつかのケースでは、ワイヤレス通信システム１００は、拡張されたブロードバンド通信、超高信頼性（例えば、ミッションクリティカル）通信、低レイテンシ通信、または低コストおよび低複雑度のデバイスとの通信をサポートし得る。
【００３８】
[0046]  基地局１０５は、１つまたは複数の基地局アンテナを介して、ＵＥ１１５とワイヤレスに通信し得る。本明細書で説明される基地局１０５は、トランシーバ基地局（base transceiver station）、無線基地局、アクセスポイント、無線トランシーバ、ノードＢ、ｅノードＢ（ｅＮＢ）、次世代ノードＢもしくはギガノードＢ（これらのいずれもがｇＮＢと呼ばれ得る）、ホームノードＢ、ホームｅノードＢ、または何らかの他の好適な専門用語で当業者によって呼ばれ得るか、あるいはこれらを含み得る。ワイヤレス通信システム１００は、異なるタイプの基地局１０５（例えば、マクロまたはスモールセル基地局）を含み得る。本明細書で説明されるＵＥ１１５は、マクロｅＮＢ、スモールセルｅＮＢ、ｇＮＢ、中継基地局、および同様のものを含む、様々なタイプの基地局１０５およびネットワーク機器と通信することが可能であり得る。
【００３９】
[0047]  各基地局１０５は、様々なＵＥ１１５との通信がサポートされる特定の地理的カバレッジエリア１１０に関連付けられ得る。各基地局１０５は、通信リンク１２５を介してそれぞれの地理的カバレッジエリア１１０に対して通信カバレッジを提供し得、基地局１０５とＵＥ１１５との間の通信リンク１２５は、１つまたは複数のキャリアを利用し得る。ワイヤレス通信システム１００において示される通信リンク１２５は、ＵＥ１１５から基地局１０５へのアップリンク送信、または基地局１０５からＵＥ１１５へのダウンリンク送信を含み得る。ダウンリンク送信は、順方向リンク送信とも呼ばれ得、一方、アップリンク送信は、逆方向リンク送信とも呼ばれ得る。
【００４０】
[0048]  基地局１０５のための地理的カバレッジエリア１１０は、地理的カバレッジエリア１１０の一部分のみを構成するセクタに分割され得、各セクタは、セルに関連付けられ得る。例えば、各基地局１０５は、マクロセル、スモールセル、ホットスポット、または他のタイプのセル、あるいはこれらの様々な組合せに対して、通信カバレッジを提供し得る。いくつかの例では、基地局１０５は、移動可能であり、したがって、移動する地理的カバレッジエリア１１０に対して通信カバレッジを提供し得る。いくつかの例では、異なる技術に関連付けられた異なる地理的カバレッジエリア１１０は、オーバーラップし得、異なる技術に関連付けられたオーバーラップする地理的カバレッジエリア１１０は、同じ基地局１０５によってまたは異なる基地局１０５によってサポートされ得る。ワイヤレス通信システム１００は、例えば、異なるタイプの基地局１０５が様々な地理的カバレッジエリア１１０に対してカバレッジを提供する異種ＬＴＥ／ＬＴＥ−Ａ／ＬＴＥ−Ａ  ＰｒｏまたはＮＲネットワークを含み得る。
【００４１】
[0049]  「セル（cell）」という用語は、（例えば、キャリア上での）基地局１０５との通信のために使用される論理通信エンティティを指し、同じまたは異なるキャリアを介して動作する近隣セルを区別するための識別子（例えば、物理セル識別子（ＰＣＩＤ：physical cell identifier）、仮想セル識別子（ＶＣＩＤ：virtual cell identifier））に関連付けられ得る。いくつかの例では、キャリアは、複数のセルをサポートし得、異なるセルは、異なるタイプのデバイスにアクセスを提供し得る異なるプロトコルタイプ（例えば、マシンタイプ通信（ＭＴＣ：machine-type communication）、狭帯域モノのインターネット（ＮＢ−ＩｏＴ）、拡張モバイルブロードバンド（ｅＭＢＢ）、またはその他）に従って構成され得る。いくつかのケースでは、「セル」という用語は、論理エンティティが動作する地理的カバレッジエリア１１０の一部分（例えば、セクタ）を指し得る。
【００４２】
[0050]  ＵＥ１１５は、ワイヤレス通信システム１００全体にわたって分散され得、各ＵＥ１１５は、固定式またはモバイルであり得る。ＵＥ１１５はまた、モバイルデバイス、ワイヤレスデバイス、遠隔デバイス、ハンドヘルドデバイス、または加入者デバイス、あるいは何らかの他の好適な専門用語で呼ばれ得、ここで、「デバイス」は、ユニット、局、端末、またはクライアントとも呼ばれ得る。ＵＥ１１５はまた、セルラフォン、携帯情報端末（ＰＤＡ）、タブレットコンピュータ、ラップトップコンピュータ、またはパーソナルコンピュータなどのパーソナル電子デバイスであり得る。いくつかの例では、ＵＥ１１５はまた、ワイヤレスローカルループ（ＷＬＬ）局、モノのインターネット（ＩｏＴ）デバイス、全てのインターネット（ＩｏＥ）デバイス、またはＭＴＣデバイス、あるいは同様のものを指し得、これらは、アプライアンス、車両、メータ、または同様のものなどの様々な物品においてインプリメントされ得る。
【００４３】
[0051]  ＭＴＣまたはＩｏＴデバイスなどのいくつかのＵＥ１１５は、低コストまたは低複雑度のデバイスであり得、（例えば、マシンツーマシン（Ｍ２Ｍ）通信を介した）マシン間の自動化された通信を提供し得る。Ｍ２Ｍ通信またはＭＴＣは、デバイスが人間の介在なしに互いにまたは基地局１０５と通信することを可能にするデータ通信技術を指し得る。いくつかの例では、Ｍ２Ｍ通信またはＭＴＣは、情報を測定または捕捉するためにセンサまたはメータを一体化し、プログラムまたはアプリケーションとインタラクトする人間にその情報を提示するか、またはその情報を利用し得るアプリケーションプログラムまたは中央サーバにその情報を中継するデバイスからの通信を含み得る。いくつかのＵＥ１１５は、情報を収集するか、または機械の自動化された挙動を可能にするように設計され得る。ＭＴＣデバイスのためのアプリケーションの例は、スマートメータリング、在庫（inventory）モニタリング、水位モニタリング、機器モニタリング、ヘルスケアモニタリング、野生生物モニタリング、天候および地質学的イベントモニタリング、フリート（fleet）管理および追跡、遠隔セキュリティ感知、物理アクセス制御、ならびに取引ベースのビジネス課金（transaction-based business charging）を含む。
【００４４】
[0052]  いくつかのＵＥ１１５は、半二重通信（例えば、送信または受信を介した一方向通信をサポートするが、同時に送信と受信をサポートしないモード）などの、電力消費を低減させる動作モードを用いるように構成され得る。いくつかの例では、半二重通信は、低減されたピークレートで実行され得る。ＵＥ１１５のための他の電力節約技法は、アクティブな通信に従事していないときに電力節約「ディープスリープ」モードに入ること、または（例えば、狭帯域通信に従って）制限された帯域幅上で動作することを含む。いくつかのケースでは、ＵＥ１１５は、クリティカルな機能（例えば、ミッションクリティカル機能）をサポートするように設計され得、ワイヤレス通信システム１００は、これらの機能のために超高信頼性通信を提供するように構成され得る。
【００４５】
[0053]  いくつかのケースでは、ＵＥ１１５はまた、（例えば、ピアツーピア（Ｐ２Ｐ）またはデバイスツーデバイス（Ｄ２Ｄ）プロトコルを使用して）他のＵＥ１１５と直接的に通信することも可能であり得る。Ｄ２Ｄ通信を利用するＵＥ１１５のグループのうちの１つまたは複数は、基地局１０５の地理的カバレッジエリア１１０内にあり得る。このようなグループにおける他のＵＥ１１５は、基地局１０５の地理的カバレッジエリア１１０の外部にあり得るか、または他の理由で（or be otherwise）、基地局１０５からの送信を受信することができない。いくつかのケースでは、Ｄ２Ｄ通信を介して通信するＵＥ１１５のグループは、各ＵＥ１１５がグループにおけるその他全ての（every other）ＵＥ１１５に送信する、一対多（one-to-many）（１：Ｍ）システムを利用し得る。いくつかのケースでは、基地局１０５は、Ｄ２Ｄ通信のためのリソースのスケジューリングを容易にする。他のケースでは、Ｄ２Ｄ通信は、基地局１０５の関与なしにＵＥ１１５間で行われる。
【００４６】
[0054]  基地局１０５は、コアネットワーク１３０と、および、互いに通信し得る。例えば、基地局１０５は、バックホールリンク（backhaul link）１３２を通じて（例えば、Ｓ１または他のインターフェースを介して）、コアネットワーク１３０とインターフェースし得る。基地局１０５は、バックホールリンク１３４を介して（例えば、Ｘ２または他のインターフェースを介して）、直接的に（例えば、基地局１０５間で直接的に）または間接的に（例えば、コアネットワーク１３０を介して）のいずれかで、互いに通信し得る。
【００４７】
[0055]  コアネットワーク１３０は、ユーザ認証、アクセス認可、追跡、インターネットプロトコル（ＩＰ）接続性、および他のアクセス、ルーティング、またはモビリティ機能を提供し得る。コアネットワーク１３０は、発展型パケットコア（ＥＰＣ）であり得、これは、少なくとも１つのモビリティ管理エンティティ（ＭＭＥ）、少なくとも１つのサービングゲートウェイ（Ｓ−ＧＷ）、および少なくとも１つのパケットデータネットワーク（ＰＤＮ）ゲートウェイ（Ｐ−ＧＷ）を含み得る。ＭＭＥは、ＥＰＣに関連付けられた基地局１０５によってサービス提供されるＵＥ１１５のためのモビリティ、認証、およびベアラ管理などの、非アクセス層（例えば、制御プレーン）機能を管理し得る。ユーザＩＰパケットは、Ｓ−ＧＷを通じて転送され得、これは、それ自体がＰ−ＧＷに接続され得る。Ｐ−ＧＷは、ＩＰアドレス割振りならびに他の機能を提供し得る。Ｐ−ＧＷは、ネットワークオペレータＩＰサービスに接続され得る。オペレータＩＰサービスは、インターネット、（１つまたは複数の）イントラネット、ＩＰマルチメディアサブシステム（ＩＭＳ）、またはパケット交換（ＰＳ）ストリーミングサービスへのアクセスを含み得る。
【００４８】
[0056]  基地局１０５などのネットワークデバイスのうちの少なくともいくつかは、アクセスネットワークエンティティなどのサブコンポーネントを含み得、これは、アクセスノードコントローラ（ＡＮＣ）の例であり得る。各アクセスネットワークエンティティは、いくつかの他のアクセスネットワーク送信エンティティを通じてＵＥ１１５と通信し得、それらは、無線ヘッド、スマート無線ヘッド、または送信／受信ポイント（ＴＲＰ）と呼ばれ得る。いくつかの構成では、各アクセスネットワークエンティティまたは基地局１０５の様々な機能は、様々なネットワークデバイス（例えば、無線ヘッドおよびアクセスネットワークコントローラ）にわたって分散されるか、または単一のネットワークデバイス（例えば、基地局１０５）に統合され得る。
【００４９】
[0057]  ワイヤレス通信システム１００は、典型的には３００ＭＨｚ〜３００ＧＨｚの範囲にある、１つまたは複数の周波数帯域を使用して動作し得る。一般に、３００ＭＨｚ〜３ＧＨｚの領域は、波長が約１デシメートル〜１メートルの長さに及ぶので、極超短波（ＵＨＦ）領域またはデシメートル帯域として知られている。ＵＨＦ波は、建物および環境的特徴によって遮断またはリダイレクトされ得る。しかしながら、波は、マクロセルが屋内に位置するＵＥ１１５にサービスを提供するのに十分に、構造を透過し得る。ＵＨＦ波の送信は、３００ＭＨｚより下のスペクトルの短波（ＨＦ）または超短波（ＶＨＦ）部分のより小さい周波数およびより長い波を使用する送信と比較して、より小さいアンテナおよびより短いレンジ（例えば、１００ｋｍ未満）に関連付けられ得る。
【００５０】
[0058]  ワイヤレス通信システム１００はまた、センチメートル帯域としても知られる、３ＧＨｚ〜３０ＧＨｚの周波数帯域を使用して、極極超短波（ＳＨＦ）領域において動作し得る。ＳＨＦ領域は、他のユーザからの干渉を許容し得るデバイスによって日和見的に使用され得る、５ＧＨｚ産業科学医療用（ＩＳＭ）帯域などの帯域を含む。
【００５１】
[0059]  ワイヤレス通信システム１００はまた、ミリメートル帯域としても知られる、スペクトルの極高周波（ＥＨＦ：extremely high frequency）領域（例えば、３０ＧＨｚ〜３００ＧＨｚ）において動作し得る。いくつかの例では、ワイヤレス通信システム１００は、ＵＥ１１５と基地局１０５との間のミリメートル波（ｍｍＷ）通信をサポートし得、それぞれのデバイスのＥＨＦアンテナは、ＵＨＦアンテナよりもさらに小さく、より狭い間隔で配置され得る。いくつかのケースでは、これは、ＵＥ１１５内のアンテナアレイの使用を容易にし得る。しかしながら、ＥＨＦ送信の伝搬は、ＳＨＦまたはＵＨＦ送信よりもさらに大きい大気減衰を受けることがあり、より短いレンジになり得る。本明細書で開示される技法は、１つまたは複数の異なる周波数領域を使用する送信にわたって用いられ得、これらの周波数領域にわたる帯域の指定された使用は、国または規制機関によって異なり得る。
【００５２】
[0060]  いくつかのケースでは、ワイヤレス通信システム１００は、ライセンスおよびアンライセンス無線周波数スペクトル帯域の両方を利用し得る。例えば、ワイヤレス通信システム１００は、５ＧＨｚ  ＩＳＭ帯域などのアンライセンス帯域において、ライセンス支援型アクセス（ＬＡＡ）、ＬＴＥアンライセンス（ＬＴＥ−Ｕ）無線アクセス技術、またはＮＲ技術を用い得る。アンライセンス無線周波数スペクトル帯域において動作するとき、基地局１０５およびＵＥ１１５などのワイヤレスデバイスは、データを送信する前に周波数チャネルがクリアであることを確実にするために、リッスンビフォアトーク（ＬＢＴ：listen-before-talk）プロシージャを用い得る。いくつかのケースでは、アンライセンス帯域における動作は、ライセンス帯域（例えば、ＬＡＡ）において動作するＣＣと共に（in conjunction with）、ＣＡ構成に基づき得る。アンライセンススペクトルにおける動作は、ダウンリンク送信、アップリンク送信、ピアツーピア送信、またはこれらの組合せを含み得る。アンライセンススペクトルにおける複信は、周波数分割複信（ＦＤＤ）、時分割複信（ＴＤＤ）、または両方の組合せに基づき得る。
【００５３】
[0061]  いくつかの例では、基地局１０５またはＵＥ１１５は、複数のアンテナを装備し得、それらは、送信ダイバーシティ、受信ダイバーシティ、多入力多出力（ＭＩＭＯ）通信、またはビームフォーミングなどの技法を用いるために使用され得る。例えば、ワイヤレス通信システム１００は、送信デバイス（例えば、基地局１０５）と受信デバイス（例えば、ＵＥ１１５）との間の送信スキームを使用し得、ここで、送信デバイスは、複数のアンテナを装備し、受信デバイスは、１つまたは複数のアンテナを装備する。ＭＩＭＯ通信は、異なる空間レイヤを介して複数の信号を送信または受信することによってスペクトル効率を増大させるためにマルチパス信号伝搬を用い得、これは、空間多重化と呼ばれ得る。複数の信号は、例えば、異なるアンテナまたはアンテナの異なる組合せを介して、送信デバイスによって送信され得る。同様に、複数の信号は、異なるアンテナまたはアンテナの異なる組合せを介して、受信デバイスによって受信され得る。複数の信号の各々は、別個の空間ストリームと呼ばれ得、同じデータストリーム（例えば、同じコードワード）または異なるデータストリームに関連付けられたビットを搬送し得る。異なる空間レイヤは、チャネル測定および報告のために使用される異なるアンテナポートに関連付けられ得る。ＭＩＭＯ技法は、複数の空間レイヤが同じ受信デバイスに送信されるシングルユーザＭＩＭＯ（ＳＵ−ＭＩＭＯ）と、複数の空間レイヤが複数のデバイスに送信されるマルチユーザＭＩＭＯ（ＭＵ−ＭＩＭＯ）とを含む。
【００５４】
[0062]  空間フィルタリング、指向性送信、または指向性受信とも呼ばれ得るビームフォーミングは、送信デバイスと受信デバイスとの間の空間経路に沿ってアンテナビーム（例えば、送信ビームまたは受信ビーム）を形成またはステアリングするために、送信デバイスまたは受信デバイス（例えば、基地局１０５またはＵＥ１１５）において使用され得る信号処理技法である。ビームフォーミングは、アンテナアレイのアンテナ素子を介して通信される信号を、アンテナアレイに対して特定の向きで伝搬する信号が強め合う干渉を経験し、他の信号が弱め合う干渉を経験するように組み合わせることによって達成され得る。アンテナ素子を介して通信される信号の調整は、送信デバイスまたは受信デバイスが、デバイスに関連付けられたアンテナ素子の各々を介して搬送される信号に、ある特定の振幅および位相オフセットを適用することを含み得る。アンテナ素子の各々に関連付けられた調整は、（例えば、送信デバイスまたは受信デバイスのアンテナアレイに対して、あるいは何らかの他の向きに対して）特定の向きに関連付けられたビームフォーミング重みセットによって定義され得る。
【００５５】
[0063]  一例では、基地局１０５は、ＵＥ１１５との指向性通信のためのビームフォーミング動作を実施するために、複数のアンテナまたはアンテナアレイを使用し得る。例えば、いくつかの信号（例えば、同期信号、基準信号、ビーム選択信号、または他の制御信号）は、異なる方向に複数回基地局１０５によって送信され得、これは、異なる送信の方向に関連付けられた異なるビームフォーミング重みセットに従って送信される信号を含み得る。異なるビーム方向における送信は、基地局１０５による後続の送信および／または受信のためのビーム方向を（例えば、基地局１０５またはＵＥ１１５などの受信デバイスによって）識別するために使用され得る。特定の受信デバイスに関連付けられたデータ信号などのいくつかの信号は、単一のビーム方向（例えば、ＵＥ１１５などの受信デバイスに関連付けられた方向）に基地局１０５によって送信され得る。いくつかの例では、単一のビーム方向に沿った送信に関連付けられたビーム方向は、異なるビーム方向に送信された信号に少なくとも部分的に基づいて決定され得る。例えば、ＵＥ１１５は、異なる方向に基地局１０５によって送信された信号のうちの１つまたは複数を受信し得、ＵＥ１１５は、それが最高の信号品質で受信したか、さもなければ許容可能な信号品質で受信した信号のインジケーションを基地局１０５に報告し得る。これらの技法は、基地局１０５によって１つまたは複数の方向に送信される信号に関して説明されるが、ＵＥ１１５は、（例えば、ＵＥ１１５による後続の送信または受信のためのビーム方向を識別するために）異なる方向に複数回信号を送信するために、または（例えば、受信デバイスにデータを送信するために）単一の方向に信号を送信するために、同様の技法を用い得る。
【００５６】
[0064]  受信デバイス（例えば、ｍｍＷ受信デバイスの例であり得るＵＥ１１５）は、同期信号、基準信号、ビーム選択信号、または他の制御信号などの、基地局１０５からの様々な信号を受信するとき、複数の受信ビームを試み得る。例えば、受信デバイスは、異なるアンテナサブアレイを介して受信することによって、異なるアンテナサブアレイに従って受信された信号を処理することによって、アンテナアレイの複数のアンテナ素子において受信される信号に適用される異なる受信ビームフォーミング重みセット（receive beamforming weight set）に従って受信することによって、またはアンテナアレイの複数のアンテナ素子において受信される信号に適用される異なる受信ビームフォーミング重みセットに従って受信された信号を処理することによって、複数の受信方向を試み得、これらのうちのいずれもが、異なる受信ビームまたは受信方向に従って「リッスンする（listening）」と称され得る。いくつかの例では、受信デバイスは、（例えば、データ信号を受信するとき）単一のビーム方向に沿って受信するために、単一の受信ビームを使用し得る。単一の受信ビームは、異なる受信ビーム方向に従ってリッスンすることに少なくとも部分的に基づいて決定されたビーム方向（例えば、複数のビーム方向に従ってリッスンすることに少なくとも部分的に基づいて、最高の信号強度、最高の信号対雑音比、またはさもなければ許容可能な信号品質を有すると決定されたビーム方向）に位置合わせされ得る。
【００５７】
[0065]  いくつかのケースでは、基地局１０５またはＵＥ１１５のアンテナは、ＭＩＭＯ動作、あるいは送信または受信ビームフォーミングをサポートし得る、１つまたは複数のアンテナアレイ内に位置し得る。例えば、１つまたは複数の基地局アンテナまたはアンテナアレイは、アンテナタワーなどのアンテナアセンブリにおいてコロケートされ得る。いくつかのケースでは、基地局１０５に関連付けられたアンテナまたはアンテナアレイは、多様な地理的ロケーションに位置し得る。基地局１０５は、基地局１０５がＵＥ１１５との通信のビームフォーミングをサポートするために使用し得るアンテナポートのいくつかの行および列を有するアンテナアレイを有し得る。同様に、ＵＥ１１５は、様々なＭＩＭＯまたはビームフォーミング動作をサポートし得る１つまたは複数のアンテナアレイを有し得る。
【００５８】
[0066]  いくつかのケースでは、ワイヤレス通信システム１００は、階層プロトコルスタックに従って動作するパケットベースのネットワークであり得る。ユーザプレーンでは、ベアラまたはパケットデータコンバージェンスプロトコル（ＰＤＣＰ）レイヤにおける通信は、ＩＰベースであり得る。無線リンク制御（ＲＬＣ）レイヤは、いくつかのケースでは、論理チャネル上で通信するために、パケットのセグメント化およびリアセンブリを実行し得る。媒体アクセス制御（ＭＡＣ）レイヤは、優先処理およびトランスポートチャネルへの論理チャネルの多重化を実行し得る。ＭＡＣレイヤはまた、ＭＡＣレイヤにおいて再送信を提供するためにハイブリッド自動再送要求（ＨＡＲＱ）を使用して、リンク効率を改善し得る。制御プレーンでは、無線リソース制御（ＲＲＣ）プロトコルレイヤは、ユーザプレーンデータのための無線ベアラをサポートする、ＵＥ１１５と基地局１０５またはコアネットワーク１３０との間のＲＲＣ接続の確立、構成、および維持を提供し得る。物理（ＰＨＹ）レイヤにおいて、トランスポートチャネルは、物理チャネルにマッピングされ得る。
【００５９】
[0067]  いくつかのケースでは、ＵＥ１１５および基地局１０５は、データが成功裏に受信される可能性を増大させるために、データの再送信をサポートし得る。ＨＡＲＱフィードバックは、データが通信リンク１２５上で正しく受信される可能性を増大させる１つの技法である。ＨＡＲＱは、（例えば、巡回冗長検査（ＣＲＣ）を使用した）誤り検出、前方誤り訂正（ＦＥＣ）、および再送信（例えば、自動再送要求（ＡＲＱ））の組合せを含み得る。ＨＡＲＱは、劣悪な無線条件（例えば、信号対雑音条件）でのＭＡＣレイヤにおけるスループットを改善し得る。いくつかのケースでは、ワイヤレスデバイスは、同一スロットＨＡＲＱフィードバックをサポートし得、ここで、デバイスは、特定のスロットにおける前のシンボル中に受信されたデータに対して、そのスロットにおいてＨＡＲＱフィードバックを提供し得る。他のケースでは、デバイスは、後続のスロットにおいて、または何らかの他の時間間隔に従って、ＨＡＲＱフィードバックを提供し得る。
【００６０】
[0068]  ＬＴＥまたはＮＲにおける時間間隔は、基本時間単位の倍数で表され得、これは、例えば、Ｔｓ＝１／３０，７２０，０００秒のサンプリング期間を指し得る。通信リソースの時間間隔は、１０ミリ秒（ｍｓ）の持続時間をそれぞれ有する無線フレームに従って編成され得、ここで、フレーム期間は、Ｔｆ＝３０７，２００Ｔｓとして表され得る。無線フレームは、０から１０２３までの範囲にわたるシステムフレーム番号（ＳＦＮ）によって識別され得る。各フレームは、０から９までの番号が付けられた１０個のサブフレームを含み得、各サブフレームは、１ｍｓの持続時間を有し得る。サブフレームは、０．５ｍｓの持続時間をそれぞれ有する２つのスロットにさらに分割され得、各スロットは、（例えば、各シンボル期間の先頭に追加されたサイクリックプレフィックスの長さに依存して）６個または７個の変調シンボル期間を含み得る。サイクリックプレフィックスを除き、各シンボル期間は、２０４８個のサンプリング期間を含み得る。いくつかのケースでは、サブフレームは、ワイヤレス通信システム１００の最小スケジューリング単位であり得、送信時間間隔（ＴＴＩ）と呼ばれ得る。他のケースでは、ワイヤレス通信システム１００の最小スケジューリング単位は、サブフレームより短くあり得るか、または（例えば、短縮されたＴＴＩ（ｓＴＴＩ）のバーストにおいて、またはｓＴＴＩを使用する選択されたコンポーネントキャリアにおいて）動的に選択され得る。
【００６１】
[0069]  いくつかのワイヤレス通信システムでは、スロットは、１つまたは複数のシンボルを含む複数のミニスロットにさらに分割され得る。いくつかの事例では、ミニスロットのシンボルまたはミニスロットは、スケジューリングの最小単位であり得る。各シンボルは、例えば、動作の周波数帯域またはサブキャリア間隔に依存して持続時間が異なり得る。さらに、いくつかのワイヤレス通信システムは、複数のスロットまたはミニスロットが共に集約され、ＵＥ１１５と基地局１０５との間の通信のために使用されるスロットアグリゲーションをインプリメントし得る。
【００６２】
[0070]  「キャリア（carrier）」という用語は、通信リンク１２５上の通信をサポートするための定義された物理レイヤ構造を有する無線周波数スペクトルリソースのセットを指す。例えば、通信リンク１２５のキャリアは、所与の無線アクセス技術のための物理レイヤチャネルに従って動作される無線周波数スペクトル帯域の一部分を含み得る。各物理レイヤチャネルは、ユーザデータ、制御情報、または他のシグナリングを搬送し得る。キャリアは、予め定義された周波数チャネル（例えば、Ｅ−ＵＴＲＡ絶対無線周波数チャネル番号（ＥＡＲＦＣＮ：E-UTRA absolute radio frequency channel number））に関連付けられ得、ＵＥ１１５による発見のためのチャネルラスタ（channel raster）に従って位置付けられ得る。キャリアは、（例えば、ＦＤＤモードでは）ダウンリンクもしくはアップリンクであり得、または（例えば、ＴＤＤモードでは）ダウンリンクおよびアップリンク通信を搬送するように構成され得る。いくつかの例では、キャリア上で送信される信号波形は、（例えば、ＯＦＤＭまたはＤＦＴ−ｓ−ＯＦＤＭなどのマルチキャリア変調（ＭＣＭ）技法を使用して）複数のサブキャリアから構成され得る。
【００６３】
[0071]  キャリアの編成構造は、無線アクセス技術（例えば、ＬＴＥ、ＬＴＥ−Ａ、ＬＴＥ−Ａ  Ｐｒｏ、ＮＲなど）によって異なり得る。例えば、キャリア上の通信は、ＴＴＩまたはスロットに従って編成され得、それらの各々は、ユーザデータならびにユーザデータの復号をサポートするための制御情報またはシグナリングを含み得る。キャリアはまた、専用捕捉シグナリング（dedicated acquisition signaling）（例えば、同期信号またはシステム情報など）と、キャリアのための動作を調整する制御シグナリングとを含み得る。いくつかの例では（例えば、キャリアアグリゲーション構成において）、キャリアはまた、他のキャリアのための動作を調整する捕捉シグナリングまたは制御シグナリングを有し得る。
【００６４】
[0072]  物理チャネルは、様々な技法に従ってキャリア上で多重化され得る。物理制御チャネルおよび物理データチャネルは、例えば、時分割多重化（ＴＤＭ）技法、周波数分割多重化（ＦＤＭ）技法、またはハイブリッドＴＤＭ−ＦＤＭ技法を使用して、ダウンリンクキャリア上で多重化され得る。いくつかの例では、物理制御チャネルにおいて送信される制御情報は、カスケード方式で異なる制御領域間で（例えば、共通制御領域または共通探索空間と、１つまたは複数のＵＥ固有制御領域またはＵＥ固有探索空間との間で）分散され得る。
【００６５】
[0073]  キャリアは、無線周波数スペクトルの特定の帯域幅に関連付けられ得、いくつかの例では、キャリア帯域幅は、キャリアまたはワイヤレス通信システム１００の「システム帯域幅」と呼ばれ得る。例えば、キャリア帯域幅は、特定の無線アクセス技術のキャリアのためのいくつかの所定の帯域幅（例えば、１．４、３、５、１０、１５、２０、４０、または８０ＭＨｚ）のうちの１つであり得る。いくつかの例では、各サービス提供されるＵＥ１１５は、キャリア帯域幅の一部分または全てを介して動作するために構成され得る。他の例では、いくつかのＵＥ１１５は、キャリア内の予め定義された部分または範囲（例えば、サブキャリアまたはＲＢのセット）に関連付けられている狭帯域プロトコルタイプを使用する動作（例えば、狭帯域プロトコルタイプの「インバンド」展開）のために構成され得る。
【００６６】
[0074]  ＭＣＭ技法を用いるシステムでは、リソース要素は、１つのシンボル期間（例えば、１つの変調シンボルの持続時間）と１つのサブキャリアで構成され得、ここで、シンボル期間とサブキャリア間隔は、反比例する（inversely related）。各リソース要素によって搬送されるビットの数は、変調スキーム（例えば、変調スキームの次数）に依存し得る。したがって、ＵＥ１１５が受信するリソース要素が多いほど、および、変調スキームの次数が高いほど、ＵＥ１１５のためのデータレートはより高くなり得る。ＭＩＭＯシステムでは、ワイヤレス通信リソースは、無線周波数スペクトルリソースと、時間リソースと、空間リソース（例えば、空間レイヤ）との組合せを指し得、複数の空間レイヤの使用は、ＵＥ１１５との通信のためのデータレートをさらに増大させ得る。
【００６７】
[0075]  ワイヤレス通信システム１００のデバイス（例えば、基地局１０５またはＵＥ１１５）は、特定のキャリア帯域幅上の通信をサポートするハードウェア構成を有し得るか、またはキャリア帯域幅のセットのうちの１つの上での通信をサポートするように構成可能であり得る。いくつかの例では、ワイヤレス通信システム１００は、１つより多くの異なるキャリア帯域幅に関連付けられたキャリアを介した同時通信をサポートし得る基地局１０５および／またはＵＥ１１５を含み得る。
【００６８】
[0076]  ワイヤレス通信システム１００は、複数のセルまたはキャリア上でのＵＥ１１５との通信、すなわち、キャリアアグリゲーション（ＣＡ）またはマルチキャリア動作と呼ばれ得る特徴をサポートし得る。ＵＥ１１５は、キャリアアグリゲーション構成に従って、複数のダウンリンクＣＣと、１つまたは複数のアップリンクＣＣとで構成され得る。キャリアアグリゲーションは、ＦＤＤコンポーネントキャリアとＴＤＤコンポーネントキャリアとの両方で使用され得る。
【００６９】
[0077]  いくつかのケースでは、ワイヤレス通信システム１００は、拡張されたコンポーネントキャリア（ｅＣＣ：enhanced component carrier）を利用し得る。ｅＣＣは、より広いキャリアもしくは周波数チャネル帯域幅、より短いシンボル持続時間、より短いＴＴＩ持続時間、または修正された制御チャネル構成を含む、１つまたは複数の特徴によって特徴付けられ得る。いくつかのケースでは、ｅＣＣは、（例えば、複数のサービングセルが準最適のまたは理想的でないバックホールリンクを有するとき）デュアルコネクティビティ構成またはキャリアアグリゲーション構成に関連付けられ得る。ｅＣＣはまた、（例えば、１つより多くのオペレータがスペクトルを使用することを許可されている）共有スペクトルまたはアンライセンススペクトルにおける使用のために構成され得る。広いキャリア帯域幅によって特徴付けられるｅＣＣは、キャリア帯域幅全体をモニタすることが可能でないか、またはさもなければ、（例えば、電力を節約するために）制限されたキャリア帯域幅を使用するように構成されたＵＥ１１５によって利用され得る１つまたは複数のセグメントを含み得る。
【００７０】
[0078]  いくつかのケースでは、ｅＣＣは、他のＣＣとは異なるシンボル持続時間を利用し得、これは、他のＣＣのシンボル持続時間と比較して、低減されたシンボル持続時間の使用を含み得る。より短いシンボル持続時間は、隣接するサブキャリア間の増大された間隔に関連付けられ得る。ｅＣＣを利用するＵＥ１１５または基地局１０５などのデバイスは、低減されたシンボル持続時間（例えば、１６．６７マイクロ秒）で（例えば、２０、４０、６０、８０ＭＨｚなどのキャリア帯域幅または周波数チャネルに従って）広帯域信号を送信し得る。ｅＣＣにおけるＴＴＩは、１つまたは複数のシンボル期間で構成され得る。いくつかのケースでは、ＴＴＩ持続時間（すなわち、ＴＴＩにおけるシンボル期間の数）は、可変であり得る。
【００７１】
[0079]  ＮＲシステムなどのワイヤレス通信システムは、とりわけ、ライセンス、共有、およびアンライセンススペクトル帯域の任意の組合せを利用し得る。ｅＣＣシンボル持続時間およびサブキャリア間隔の柔軟性は、複数のスペクトルにわたるｅＣＣの使用を可能にし得る。いくつかの例では、ＮＲ共有スペクトルは、特に、リソースの動的な垂直（例えば、周波数領域にわたる）および水平（例えば、時間領域にわたる）の共有を通じて、スペクトル利用およびスペクトル効率を増大させ得る。
【００７２】
[0080]  ワイヤレスデバイス（例えば、ＵＥ１５および／または基地局１０５など）は、（例えば、第２のワイヤレスデバイスの）アクティブ送信ビームが、第１の送信ビームから第２の送信ビームに変わったと決定し得る。第２の送信ビームは、第１の送信ビームとは異なり得る。ワイヤレスデバイスは、第２の送信ビームに関連付けられている基準信号識別子を識別し得る。ワイヤレスデバイスは、識別することに少なくとも部分的に基づいて、基準信号識別子を含むようにＣＳＩリソース設定を更新し得る。ＣＳＩリソース設定は、アクティブ送信ビーム（例えば、第２のワイヤレスデバイスのアクティブ送信ビーム）に関連付けられ得る。
【００７３】
[0081]  図２は、本開示の態様による、アクティブビームのためのビーム報告をサポートするワイヤレス通信システム２００の例を例示する。いくつかの例では、ワイヤレス通信システム２００は、ワイヤレス通信システム１００の態様をインプリメントし得る。ワイヤレス通信システム２００は、基地局２０５およびＵＥ２１０を含み得、これらは、本明細書で説明される対応するデバイスの例であり得る。
【００７４】
[0082]  いくつかの態様では、ワイヤレス通信システム２００は、ｍｍＷワイヤレスネットワークであり得る。例えば、基地局２０５は、送信ビーム２１５、２２０、および／または２２５のいずれかを使用して、ＵＥ２１０とのワイヤレス通信を実行し得る。同様に、ＵＥ２１０は、送信ビーム２３０、２３５、および／または２４０のいずれかを使用して、基地局２０５とのワイヤレス通信を実行し得る。より多くのまたはより少ない送信ビームが、基地局２０５とＵＥ２１０との間のワイヤレス通信のために使用され得ることが理解されるべきである。一般に、各ワイヤレスデバイス（例えば、基地局２０５および／またはＵＥ２１０）は、他のワイヤレスデバイスとのワイヤレス通信のために使用されている１つまたは複数のアクティブ送信ビームを有し得る。いくつかの態様では、これは、データおよび制御情報のために使用されている異なるアクティブ送信ビームを含み得る。単なる例として、基地局２０５は、ＵＥ２１０に対してアクティブ送信ビーム（例えば、第１の送信ビーム）として送信ビーム２２０を使用していることがあり得、ＵＥ２１０は、基地局２０５に対してアクティブ送信ビーム（例えば、第１の送信ビーム）として送信ビーム２３５を使用していることがあり得る。いくつかの態様では、アクティブ送信ビームは、例えば、モビリティ、干渉、遮断、および同様のことにより、変わり得る。
【００７５】
[0083]  一般に、各ワイヤレスデバイスにとっては、そのアクティブ送信ビームに関して他のワイヤレスデバイスからチャネル性能情報（channel performance information）を受信することが有益であり得る。従来の技法は、そのようなフィードバック情報（feedback information）をタイムリーに可能にするメカニズムを提供しない。例えば、従来の技法は、アクティブ送信ビームの現在のリストを用いて他のワイヤレスデバイスを構成し、次いで、他のワイヤレスデバイスからのチャネル測定および性能フィードバック報告（performance feedback reporting）を指示する（direct）ために、より高いレベルのシグナリング交換を必要とする。
【００７６】
[0084]  すなわち、従来の技法は、例えば、ビーム強度を追跡するため、出現する送信ビームを識別するためなど、候補送信ビームを識別するために、チャネル測定および性能フィードバック報告をサポートする。一般に、フィードバック報告は、様々なビーム強度情報測定値を含み得る。チャネル性能フィードバック報告の例は、限定はしないが、基準信号受信電力（ＲＳＲＰ）、基準信号受信品質（ＲＳＲＱ）、信号対雑音比（ＳＮＲ）、信号対干渉プラス雑音比（ＳＩＮＲ）、推定ブロックレベル誤り率（ＢＬＥＲ）、作動中（working）／障害インジケーション、および測定値に関連付けられたビーム識別子（beam identifier）を含み得る。
【００７７】
[0085]  より詳細には、従来の技法は、それに対する一般的な測定を実行するために（例えば、異なる候補送信ビームを表す）異なる基準信号を識別するＣＳＩリソース設定を維持するワイヤレスデバイスを含み得る。基準信号は、基地局２０５の観点から、同期信号ブロック（ＳＳＢ）（同期信号（ＳＳ）、物理ブロードキャストチャネル（ＰＢＣＨ）ブロック、および同様のものなど）および／またはＣＳＩ基準信号（ＣＳＩ−ＲＳ）を含み、または、ＵＥ２１０の観点から、サウンディング基準信号（ＳＲＳ）を含み得る。一般に、基地局２０５は、複数のＣＳＩリソース設定を用いてＵＥ２１０を構成し得る。いくつかの態様では、ワイヤレスデバイスはまた、実行すべき測定の種類と、送るべき報告の構成とを識別するＣＳＩ報告設定（reporting setting）を維持し得る。この場合も、基地局２０５は、複数のＣＳＩ報告設定を用いてＵＥ２１０を構成し得る。
【００７８】
[0086]  いくつかの態様では、ＣＳＩリソース設定をＣＳＩ報告設定にリンクする測定リンクが使用され得る。例えば、基地局２０５は、ＵＥ２１０から特定のＣＳＩリソース設定に関するチャネル性能フィードバック報告を取得するために、測定リンクをトリガし得る。いくつかの態様では、トリガは、Ｌ１メッセージダウンリンク制御インジケータ（ＤＣＩ）中で、（例えば、特定の無線ネットワーク一時識別子（ＲＮＴＩ：radio network temporary identifier）にアドレス指定されたＤＣＩまたは媒体アクセス制御（ＭＡＣ）制御要素（ＣＥ）を使用して）Ｌ２メッセージ中で、またはＬ３メッセージ（例えば、ＲＲＣ構成）中で提供されるか、または別様に示され得る。この技法は、潜在的な候補送信ビームを測定および追跡するために、基地局２０５および／またはＵＥ２１０によって利用され得る。
【００７９】
[0087]  しかしながら、基地局２０５および／またはＵＥ２１０が、現在アクティブな送信ビームに関するビーム報告を取得することを望む場合には、適切な基準信号を含むＣＳＩリソース設定が構成される必要があり、測定およびビーム報告がトリガされる必要がある。しかしながら、アクティブ送信ビームは、例えば、ＭＡＣ  ＣＥまたはＤＣＩを使用して、かなり迅速に変わり得る一方で、ＣＳＩリソース設定を修正または作成することは、ＲＲＣシグナリングを必要とし、これは、あまりにも多くの時間を要し、アクティブ送信ビームの変更に追いつかない場合がある。
【００８０】
[0088]  説明される技法の態様は、基地局２０５および／またはＵＥ２１０が、他のワイヤレスデバイスのアクティブ送信ビームに関連付けられているＣＳＩリソース設定のリソースセット（これは、いくつかの事例では、特殊リソースセット（special resource set）と呼ばれ得る）を作成および維持することを提供する。例えば、基地局２０５は、ＵＥ２１０のアクティブ送信ビームの一部または全てに関連付けられているＣＳＩリソース設定のリソースセットを作成および維持し得、ＵＥ２１０は、基地局２０５のアクティブ送信ビームの一部または全てに関連付けられているＣＳＩリソース設定のリソースを作成および維持し得る。リソースセットは、特定の識別子（例えば、リソースセットＩＤ＝０）または基地局２０５によって示される他の識別子を有し得る。リソースセットは、アクティブ送信ビームに関連付けられている基準信号の識別子を含み得る。いくつかの態様では、チャネルのために使用されている現在アクティブな送信ビームに関連付けられている基準信号の識別子は、このチャネルのために使用されている送信ビームが、基準信号のために使用されている送信ビームと同じであることを指し得る。すなわち、基準信号のためのアンテナポートとチャネルのためのアンテナポートは、空間的にＱＣＬされ得る。いくつかの態様では、基準信号識別子は、制御チャネル（例えば、ＰＤＣＣＨおよび／またはＰＵＣＣＨ）および／またはデータチャネル（例えば、ＰＤＳＣＨおよび／またはＰＵＳＣＨ）のためのアクティブ送信構成インデックス（ＴＣＩ：transmission configuration index）状態において示され得る。いくつかの態様では、これは、ビーム障害検出を制御するために使用されているものと同じ基準信号を含み得る。
【００８１】
[0089]  いくつかの態様では、基地局２０５は、基準信号のセットを用いてＵＥ２１０を構成し得、ＵＥ２１０は、その構成されたセットから好適な基準信号を選択し得る。構成されたセットが、チャネルの現在アクティブな送信ビームに関連付けられたいかなる基準信号も含まない事例では、その場合、ＵＥ２１０は、そのチャネルのＴＣＩ状態において示される基準信号識別子を選択し得、例えば、優先度が、基地局２０５からの基準信号の構成されたセットにおける基準信号に与えられ得る。
【００８２】
[0090]  いくつかの態様では、説明される技法は、制御チャネルにおいて送信ビームのために利用され得る。例えば、ＣＳＩリソース設定のリソースセットは、アクティブ制御ビーム（例えば、制御チャネルのために使用されているビーム）のみのための基準信号を含み得る。別の例として、ＣＳＩリソース設定のリソースセットは、制御リソースのサブセットのために使用されているアクティブビームのみのための基準信号を含み得、ここで、サブセットは、基地局２０５によって示される。例えば、ＵＥ２１０は、２つの制御リソース（スロットの第１のシンボルのための第１の制御リソースおよびスロットの第２のシンボルのための第２の制御リソース）を用いて構成され得るが、基地局２０５は、第１の制御リソースのためにのみ使用される送信ビームのみを、ＣＳＩリソース設定のリソースセットに含めるようにＵＥ２１０をトリガし得る。
【００８３】
[0091]  したがって、アクティブ送信ビームがチャネルに対して変わる（例えば、制御ビームがＭＡＣ  ＣＥを通じて変更される）たびに、ＣＳＩリソース設定のリソースセットは、更新され得る。すなわち、第１のワイヤレスデバイス（例えば、基地局２０５またはＵＥ２１０のいずれか）が、アクティブ送信ビームが他のワイヤレスデバイス（例えば、ＵＥ２１０または基地局２０５のいずれか）のための第１の送信ビームから第２の送信ビームに変わったと決定し得る。一般に、第２の送信ビームは、第１の送信ビームとは異なり得る（例えば、異なるアンテナポートを使用し得るなど）。したがって、上記の例を続けると、基地局２０５は、アクティブ送信ビームを送信ビーム２２０から送信ビーム２１５（第２の送信ビーム）に変更し得る。同様に、ＵＥ２１０は、アクティブ送信ビームを送信ビーム２３５から送信ビーム２３０（第２の送信ビーム）に変更し得る。
【００８４】
[0092]  第１のワイヤレスデバイスは、第２の送信ビームに関連付けられている基準信号識別子を識別し、基準信号識別子を含むようにＣＳＩリソース設定を更新し得、例えば、第２のワイヤレスデバイスのアクティブ送信ビームに関連付けられているＣＳＩリソース設定のリソースセットを更新し得る。いくつかの態様では、これは、第１のワイヤレスデバイスが、基準信号識別子のインジケーションを含むかまたは別様に提供するＴＣＩ状態インジケーション（TCI state indication）を受信することを含み得る。アクティブ送信ビームが第１の送信ビームから第２の送信ビームに変わったので、ＴＣＩ状態インジケーションは、新しい基準信号識別子を示し得、これは、アクティブ送信ビームが変わったというインジケーションを提供し得る。したがって、第２のワイヤレスデバイスは、（例えば、アクティブ送信ビームに変更があったとき）基準信号識別子を含むようにＴＣＩ状態インジケーションを構成し得る。
【００８５】
[0093]  いくつかの態様では、第１のワイヤレスデバイスは、第２の送信ビーム上のランダムアクセスチャネル（ＲＡＣＨ）信号に基づいて、アクティブ送信ビームが変更されたと決定し得る。例えば、ＵＥ２１０は、送信ビーム２３０を使用して、基地局２０５にＲＡＣＨ信号を送信し得る。この例では、基地局２０５は、どの基準信号がＲＡＣＨ信号に関連付けられているかを識別し得、これは、第２の送信ビームに関連付けられている基準信号の識別子を示し得る。
【００８６】
[0094]  いくつかの態様では、第１のワイヤレスデバイスは、ビーム障害インジケーションに基づいて、基準信号識別子を識別し得る。例えば、第１のワイヤレスデバイスは、アクティブ送信ビームのビーム障害検出のために使用される基準信号の識別子を決定し、第２の送信ビームに関連付けられている基準信号識別子を識別するために、その情報を使用し得る。
【００８７】
[0095]  いくつかの態様では、第１のワイヤレスデバイスは、第２のワイヤレスデバイスに、例えば、ＭＡＣ−ＣＥにおいて、コマンドを送り得、コマンドは、ＣＳＩリソース設定に（１つまたは複数の）基準信号識別子を含める、および／またはＣＳＩリソース設定から（１つまたは複数の）基準信号識別子を除外するためのものである。例えば、含まれるべき（１つまたは複数の）基準信号識別子は、（１つまたは複数の）アクティブ送信ビーム、例えば、第２の送信ビームに関連付けられ得、除外されるべき（１つまたは複数の）基準信号識別子は、（１つまたは複数の）今現在使われていない送信ビーム、例えば、第１の送信ビームに関連付けられ得る。
【００８８】
[0096]  したがって、第１のワイヤレスデバイスは、ＣＳＩリソース設定を更新し、リソースセット中で識別される基準信号に対してチャネル測定プロシージャを実行し得る。第１のワイヤレスデバイスは、チャネル性能測定プロシージャの結果に関連付けられた情報のインジケーションを含むかまたは別様に提供するフィードバックメッセージを第２のワイヤレスデバイスに送信し得る。いくつかの態様では、チャネル測定プロシージャは、測定リンクのインジケーションを含むかまたは別様に提供するトリガ信号によってトリガされ得る。
【００８９】
[0097]  図３は、本開示の態様による、アクティブビームのためのビーム報告をサポートするフローチャート３００の例を例示する。いくつかの例では、フローチャート３００は、ワイヤレス通信システム１００／２００の態様をインプリメントし得る。フローチャート３００の態様は、ワイヤレスデバイスによってインプリメントされ得、これは、本明細書で説明されるようなＵＥおよび／または基地局の例であり得る。
【００９０】
[0098]  ３０５において、第１のワイヤレスデバイスは、第２のワイヤレスデバイスの（１つまたは複数の）アクティブ送信ビームの一部または全てに関連付けられているＣＳＩリソース設定の特殊リソースセットを維持し得る。例えば、第１のワイヤレスデバイスは、ＣＳＩ基準信号（ＲＳ）リソース、ＳＳ／ＰＢＣＨブロックリソース、またはＣＳＩ−ＲＳとＳＳ／ＰＢＣＨブロックリソースの両方を用いて構成され得る。いくつかの態様では、第１のワイヤレスデバイスは、各セット内に最大６４個のリソースを有する最大１６個のＣＳＩ−ＲＳリソースのＣＳＩ−ＲＳリソース設定を用いて構成され得る。ＣＳＩ−ＲＳリソースのうちの１つまたは複数は、第２のワイヤレスデバイスの（１つまたは複数の）アクティブ送信ビームに関連付けられ得る。いくつかの態様では、全てのリソースにわたる異なるＣＳＩ−ＲＳリソースの総数は、１２８に制限され得る。
【００９１】
[0099]  いくつかの態様では、各ＣＳＩリソース設定（ＲｅｓｏｕｒｃｅＣｏｎｆｉｇ）は、Ｓ≧１個のＣＳＩリソースセットの構成（上位レイヤパラメータＲｅｓｏｕｒｃｅＳｅｔＣｏｎｆｉｇ）を含むとともに、各リソースセットが、ＣＳＩ−ＲＳリソース（上位レイヤパラメータＮＺＰ−ＣＳＩ−ＲＳ−ＲｅｓｏｕｒｃｅＣｏｎｆｉｇＬｉｓｔおよびＣＳＩ−ＩＭ−ＲｅｓｏｕｒｃｅＣｏｎｆｉｇＬｉｓｔ）と、Ｌ１−ＲＳＲＰ計算のために使用されるＳＳ／ＰＢＣＨブロックリソース（上位レイヤパラメータｒｅｓｏｕｒｃｅ−ｃｏｎｆｉｇ−ＳＳ−ｌｉｓｔ）とから成る。いくつかの態様では、各リソース設定は、上位レイヤパラメータＢＷＰ−ｉｎｆｏによって識別されるダウンリンク帯域幅部分（ＢＷＰ）において位置し得、ＣＳＩ報告設定にリンクされた全てのリソース設定は、同じダウンリンクＢＷＰを有し得る。
【００９２】
[0100]  いくつかの態様では、各報告設定（ＲｅｐｏｒｔＣｏｎｆｉｇ）は、（上位レイヤパラメータｂａｎｄｗｉｄｔｈＰａｒｔＩｄによって示される）単一のダウンリンクＢＷＰに関連付けられ得、１つのＣＳＩ報告帯域のための（１つまたは複数の）報告されたパラメータを含み得る。パラメータは、以下を含み得る：報告された場合、ＣＳＩタイプ（ＩまたはＩＩ）；コードブックサブセット制限を含むコードブック構成；時間領域挙動；チャネル品質インジケータ（ＣＱＩ：channel quality indicator）およびプリコーディング行列インジケータ（ＰＭＩ）についての周波数粒度（frequency granularity）；測定制限構成；レイヤインジケータ（ＬＩ）；報告された（１つまたは複数の）Ｌ１−ＲＳＲＰパラメータ、ＣＲＩ、およびＳＳＢリソースインジケータ（ＳＳＢＲＩ）。
【００９３】
[0101]  いくつかの態様では、各ＲｅｐｏｒｔＣｏｎｆｉｇは、以下を含む：ＲｅｐｏｒｔＣｏｎｆｉｇを識別するためのＲｅｐｏｒｔＣｏｎｆｉｇＩＤ；報告の時間領域挙動（非周期的、セミパーシステント（semi-persistent）、または周期的のいずれか）を指定するためのＲｅｐｏｒｔＣｏｎｆｉｇＴｙｐｅ；報告すべきＣＳＩに関連したまたはＬ１−ＲＳＲＰに関連した数量（quantities）を示すためのＲｅｐｏｒｔＱｕａｎｔｉｔｙ；および／または周波数領域における報告粒度（reporting granularity）を示すためのＲｅｐｏｒｔＦｒｅｑＣｏｎｆｉｇｕｒａｔｉｏｎ。いくつかの態様では、上位レイヤで構成されたＣＳＩ測定設定における各リンクのＭｅａｓＬｉｎｋＣｏｎｆｉｇは、ＣＳＩ報告設定インジケーション、ＣＳＩリソース設定インジケーション、および／またはＭｅａｓＱｕａｎｔｉｔｙインジケーションを含む。
【００９４】
[0102]  したがって、第１のワイヤレスデバイスは、第２のワイヤレスデバイスのアクティブ送信ビームの一部または全てに関連付けられているＣＳＩリソース設定の特殊リソースセットを維持し得る。いくつかの態様では、第１のワイヤレスデバイスは、それがワイヤレス通信を実行している各ワイヤレスデバイスの（１つまたは複数の）アクティブ送信ビームのための特殊リソースセットを維持し得る。
【００９５】
[0103]  ３１０において、第１のワイヤレスデバイスは、チャネル測定プロシージャを実行し、特殊リソースセット中に含まれる基準信号についてのチャネルフィードバック（channel feedback）を提供し得、ここで、基準信号は、アクティブ送信ビームに対応する。いくつかの態様では、チャネル測定プロシージャおよびチャネルフィードバック報告（channel feedback reporting）は、例えば、上記で説明されたように、測定リンク信号を使用して、第２のワイヤレスデバイスによってトリガされ得る。
【００９６】
[0104]  いくつかの態様では、基準信号識別子は、ＳＳＢ基準信号、またはＰＢＣＨブロック基準信号、またはＣＳＩ−ＲＳ、またはＳＲＳ、またはビーム基準信号（ＢＲＳ）、またはビームリファインメント基準信号（ＢＲＲＳ）、または追跡基準信号（ＴＲＳ）、位置追跡信号（position tracking signal）、またはこれらの任意の組合せのうちの少なくとも１つに関連付けられた識別子を含み得る。
【００９７】
[0105]  ３１５において、第１のワイヤレスデバイスは、第２のワイヤレスデバイスのアクティブ送信ビームが変わったかどうかを決定し得る。いくつかの態様では、これは、以前にＴＣＩ状態インジケーションに含まれていなかった基準信号の識別子を含むＴＣＩ状態インジケーションを含み得る。すなわち、ＴＣＩ状態インジケーションにおいて示される基準信号における変更は、アクティブ送信ビームが第１の送信ビームから第２の送信ビームに変わったことをシグナリングし得る。いくつかの態様では、これは、第１のワイヤレスデバイスが第２の送信ビーム上でＲＡＣＨ信号を受信することを含み得る。例えば、ＲＡＣＨ信号は、ＲＡＣＨ信号に関連付けられている基準信号を有し得、したがって、ＲＡＣＨ信号を受信することは、関連付けられた基準信号のインジケーションを提供し得る。
【００９８】
[0106]  いくつかの態様では、これは、ビーム障害インジケーションに基づき得る。例えば、第１のワイヤレスデバイスは、ビーム障害回復送信ビームに少なくとも部分的に基づいて、第２の送信ビームに関連付けられた基準信号識別子を識別し得る。すなわち、第２の送信ビームに関連付けられている基準信号識別子は、アクティブ送信ビームのビーム障害検出のために使用される基準信号の識別子を含み得る。
【００９９】
[0107]  アクティブ送信ビームに変更がなかった場合、第１のワイヤレスデバイスは、３１０に戻り、チャネル測定プロシージャを実行し続け、特殊リソースセット中に含まれる基準信号について、第２のワイヤレスデバイスにチャネルフィードバックを提供し得る。
【０１００】
[0108]  アクティブ送信ビームに変更があった場合、３２０において、第１のワイヤレスデバイスは、更新された送信ビームの基準信号を含むように特殊リソースセットを更新し得る。例えば、各ワイヤレスデバイスは、（例えば、基地局またはネットワークによって）利用可能な送信ビームのリストと、利用可能な送信ビームごとに、関連付けられた基準信号識別子とを用いて、事前構成され得る。したがって、第２の送信ビームへのアクティブ送信ビームにおける変更に基づいて、第１のワイヤレスデバイスは、第２の送信ビームの基準信号識別子を識別し得る。更新されたアクティブ送信ビームに関連付けられた基準信号の識別子を含むようにＣＳＩリソース設定の特殊リソースセットを更新することは、第１のワイヤレスデバイスが第２のワイヤレスデバイスの（１つまたは複数の）アクティブ送信ビームのチャネル測定およびフィードバック報告を提供することが可能であるメカニズムを提供し得る。
【０１０１】
[0109]  図４は、本開示の態様による、アクティブビームのためのビーム報告をサポートするプロセス４００の例を例示する。いくつかの例では、プロセス４００は、ワイヤレス通信システム１００／２００の態様をインプリメントし得る。プロセス４００は、第１のワイヤレスデバイス４０５および第２のワイヤレスデバイス４１０を含み得、これらの各々は、本明細書で説明されるようなＵＥおよび／または基地局の例であり得る。
【０１０２】
[0110]  ４１５において、第２のワイヤレスデバイス４１０は、オプションで、アクティブ送信ビームとして第１の送信ビームを使用して、第１のワイヤレスデバイス４０５へのワイヤレス送信を実行していることがあり得る。アクティブ送信ビームは、第１のワイヤレスデバイス４０５に制御情報および／またはデータ情報を通信するために使用され得る。
【０１０３】
[0111]  ４２０において、第２のワイヤレスデバイス４１０は、オプションで、アクティブ送信ビームを第１の送信ビームから第２の送信ビームに変更し得る。第２の送信ビームへの変更は、第１のワイヤレスデバイス４０５および／または第２のワイヤレスデバイス４１０の移動、第１の送信ビームの遮断、第１の送信ビームに対する干渉、および同様のことに応答して行われ得る。
【０１０４】
[0112]  ４２５において、第１のワイヤレスデバイス４０５は、アクティブ送信ビームが第１の送信ビームから第２の送信ビームに変わったと決定し得る。第２の送信ビームは、第１の送信ビームとは異なり得る。４３０において、第１のワイヤレスデバイス４０５は、第２の送信ビームに関連付けられている基準信号識別子（reference signal identifier）を識別し得る。例えば、第１のワイヤレスデバイス４０５は、基準信号識別子のインジケーションを含むかまたは別様に提供するＴＣＩを受信し得る。
【０１０５】
[0113]  いくつかの態様では、これは、第１のワイヤレスデバイス４０５が、基準信号識別子のインジケーションを提供するＴＣＩ（例えば、ＴＣＩ状態インジケーション）を受信することを含み得る。例えば、第１のワイヤレスデバイス４０５は、少なくともいくつかの態様では、ＴＣＩに含まれている基準信号識別子のインジケーションに基づいて、アクティブ送信ビームが第２の送信ビームに変わったと決定し得る。したがって、第１のワイヤレスデバイス４０５は、ＴＣＩから基準信号識別子を識別し得る。一般に、第２のワイヤレスデバイス４１０は、アクティブ送信ビームが第２の送信ビームに変わったことに応答して、基準信号識別子のインジケーションを提供するようにＴＣＩを構成し得る。
【０１０６】
[0114]  いくつかの態様では、これは、第２のワイヤレスデバイス４１０が、第２の送信ビームを使用して、第１のワイヤレスデバイス４０５にＲＡＣＨ信号を送信することを含み得る。例えば、第１のワイヤレスデバイス４０５は、ＲＡＣＨ信号に関連付けられている基準信号を識別し得、これは、第２の送信ビームに関連付けられている基準信号識別子の識別を提供し得る。
【０１０７】
[0115]  いくつかの態様では、これは、ビーム障害インジケーションを含むか、またはさもなければそれに基づき得る。例えば、第１のワイヤレスデバイス４０５は、第２のワイヤレスデバイス４１０から受信されたビーム障害回復送信ビームに基づいて、第２の送信ビームに関連付けられた基準信号識別子（reference signal identifier）を識別し得る。この例では、第２の送信ビームに関連付けられている基準信号識別子は、アクティブ送信ビームのビーム障害検出のために使用される基準信号の識別子を含み得る。
【０１０８】
[0116]  ４３５において、第１のワイヤレスデバイス４０５は、基準信号識別子を識別することに少なくとも部分的に基づいて、基準信号識別子を含むようにＣＳＩリソース設定を更新し得る。ＣＳＩリソース設定は、アクティブ送信ビームに関連付けられ得、例えば、第２のワイヤレスデバイス４１０のアクティブ送信ビームの一部または全てに関連付けられているＣＳＩリソース設定のリソースセットを含み得る。例えば、第１のワイヤレスデバイス４０５は、ＣＳＩリソース設定のリソースセット（例えば、第２のワイヤレスデバイス４１０のアクティブ送信ビームのために作成および維持される特殊リソースセット）を更新し得る。したがって、第１のワイヤレスデバイス４０５は、例えば、第２のワイヤレスデバイス４１０のアクティブ送信ビームのために、リソースセット中で識別される基準信号に対してチャネル測定プロシージャを実行し、チャネルプロシージャ測定の結果に関連付けられた情報のインジケーションを含むかまたは別様に提供するフィードバックメッセージを第２のワイヤレスデバイス４１０に送信し得る。
【０１０９】
[0117]  図５は、本開示の態様による、アクティブビームのためのビーム報告をサポートするデバイス５０５のブロック図５００を示す。デバイス５０５は、本明細書で説明されたようなＵＥ１１５または基地局１０５の態様の例であり得る。デバイス５０５は、受信機５１０、通信マネージャ５１５、および送信機５２０を含み得る。デバイス５０５はまた、プロセッサを含み得る。これらのコンポーネントの各々は、（例えば、１つまたは複数のバスを介して）互いと通信状態にあり得る。
【０１１０】
[0118]  受信機５１０は、様々な情報チャネル（例えば、アクティブビームのためのビーム報告に関連する情報、データチャネル、および制御チャネルなど）に関連付けられた制御情報、ユーザデータ、またはパケットなどの情報を受信し得る。情報は、デバイス５０５の他のコンポーネントへと渡され得る。受信機５１０は、図８および図９を参照して説明されるようなトランシーバ８２０または９２０の態様の例であり得る。受信機５１０は、単一のアンテナまたはアンテナのセットを利用し得る。
【０１１１】
[0119]  通信マネージャ（communications manager）５１５は、アクティブ送信ビームが第１の送信ビームから第２の送信ビームに変わったと決定し得、第２の送信ビームは、第１の送信ビームとは異なっている。通信マネージャ５１５は、第２の送信ビームに関連付けられている基準信号識別子を識別し得る。通信マネージャ５１５は、識別することに基づいて、その基準信号識別子を含むようにＣＳＩリソース設定を更新し得、ここで、ＣＳＩリソース設定は、アクティブ送信ビームに関連付けられている。通信マネージャ５１５は、図８および図９を参照して説明されるような通信マネージャ８１０または９１０の態様の例であり得る。
【０１１２】
[0120]  通信マネージャ５１５またはそのサブコンポーネントは、ハードウェア、プロセッサによって実行されるコード（例えば、ソフトウェアまたはファームウェア）、またはこれらの任意の組合せでインプリメントされ得る。プロセッサによって実行されるコードでインプリメントされる場合、通信マネージャ５１５の機能（functions）、またはそのサブコンポーネントは、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブルロジックデバイス、ディスクリートゲートまたはトランジスタロジック、ディスクリートハードウェアコンポーネント、あるいは本開示で説明される機能を実行するように設計されたこれらの任意の組合せによって実行され得る。
【０１１３】
[0121]  通信マネージャ５１５、またはそのサブコンポーネントは、様々なポジションに物理的に位置し得、機能の部分が、１つまたは複数の物理的コンポーネントによって異なる物理的なロケーションにおいてインプリメントされるように分散されていることを含む。いくつかの例では、通信マネージャ５１５、またはそのサブコンポーネントは、本開示の様々な態様による、別個のおよび異なるコンポーネントであり得る。いくつかの例では、通信マネージャ５１５、またはそのサブコンポーネントは、限定はしないが、本開示の様々な態様に従って、入力／出力（Ｉ／Ｏ）コンポーネント、トランシーバ、ネットワークサーバ、別のコンピューティングデバイス、本開示で説明される１つまたは複数の他のコンポーネント、またはこれらの組合せを含む、１つまたは複数の他のハードウェアコンポーネントと組み合わされ得る。
【０１１４】
[0122]  送信機５２０は、デバイス５０５の他のコンポーネントによって生成された信号を送信し得る。いくつかの例では、送信機５２０は、トランシーバモジュールにおいて受信機５１０とコロケート（collocate）され得る。例えば、送信機５２０は、図８および図９を参照して説明されるようなトランシーバ８２０または９２０の態様の例であり得る。送信機５２０は、単一のアンテナまたはアンテナのセットを利用し得る。
【０１１５】
[0123]  図６は、本開示の態様による、アクティブビームのためのビーム報告をサポートするデバイス６０５のブロック図６００を示す。デバイス６０５は、図１および図５を参照して説明されたようなデバイス５０５、ＵＥ１１５、または基地局１０５の態様の例であり得る。デバイス６０５は、受信機６１０、通信マネージャ６１５、および送信機６３５を含み得る。デバイス６０５はまた、プロセッサを含み得る。これらのコンポーネントの各々は、（例えば、１つまたは複数のバスを介して）互いと通信状態にあり得る。
【０１１６】
[0124]  受信機６１０は、様々な情報チャネル（例えば、アクティブビームのためのビーム報告に関連する情報、データチャネル、および制御チャネルなど）に関連付けられた制御情報、ユーザデータ、またはパケットなどの情報を受信し得る。情報は、デバイス６０５の他のコンポーネントへと渡され得る。受信機６１０は、図８および図９を参照して説明されるようなトランシーバ８２０または９２０の態様の例であり得る。受信機６１０は、単一のアンテナまたはアンテナのセットを利用し得る。
【０１１７】
[0125]  通信マネージャ６１５は、アクティブビームマネージャ６２０、ＲＳ識別子マネージャ６２５、およびＣＳＩリソース設定マネージャ６３０を含み得る。通信マネージャ６１５は、図８および図９を参照して説明されるような通信マネージャ８１０または９１０の態様の例であり得る。
【０１１８】
[0126]  アクティブビームマネージャ６２０は、アクティブ送信ビームが第１の送信ビームから第２の送信ビームに変わったと決定し得、第２の送信ビームは、第１の送信ビームとは異なっている。
【０１１９】
[0127]  ＲＳ識別子マネージャ６２５は、第２の送信ビームに関連付けられている基準信号識別子（reference signal identifier）を識別し得る。
【０１２０】
[0128]  ＣＳＩリソース設定マネージャ６３０は、識別することに基づいて、基準信号識別子を含むようにＣＳＩリソース設定を更新し得、ここで、ＣＳＩリソース設定は、アクティブ送信ビームに関連付けられている。
【０１２１】
[0129]  送信機６３５は、デバイス６０５の他のコンポーネントによって生成された信号を送信し得る。いくつかの例では、送信機６３５は、トランシーバモジュールにおいて受信機６１０とコロケートされ得る。例えば、送信機６３５は、図８および図９を参照して説明されるようなトランシーバ８２０または９２０の態様の例であり得る。送信機６３５は、単一のアンテナまたはアンテナのセットを利用し得る。
【０１２２】
[0130]  図７は、本開示の態様による、アクティブビームのためのビーム報告をサポートする通信マネージャ７０５のブロック図７００を示す。通信マネージャ７０５は、図５、図６、および図８を参照して説明される通信マネージャ５１５、通信マネージャ６１５、または通信マネージャ８１０の態様の例であり得る。通信マネージャ７０５は、アクティブビームマネージャ７１０、ＲＳ識別子マネージャ７１５、ＣＳＩリソース設定マネージャ７２０、ＵＥ  ＴＣＩマネージャ７２５、ＢＳ  ＴＣＩマネージャ７３０、ＲＡＣＨマネージャ７３５、ビーム障害マネージャ（beam failure manager）７４０、チャネル測定マネージャ７４５、構成されたセットマネージャ（configured set manager）７５０、および制御リソースセットマネージャ（control resource set manager）７５５を含み得る。これらのモジュールの各々は、（例えば、１つまたは複数のバスを介して）互いと直接的にまたは間接的に通信し得る。
【０１２３】
[0131]  アクティブビームマネージャ７１０は、アクティブ送信ビームが第１の送信ビームから第２の送信ビームに変わったと決定し得、第２の送信ビームは、第１の送信ビームとは異なっている。いくつかのケースでは、アクティブ送信ビームは、制御チャネル、またはデータチャネル、あるいは制御チャネルとデータチャネルとの両方に関連付けられている。いくつかのケースでは、アクティブ送信ビームは、構成された制御リソースのサブセットに関連付けられている。
【０１２４】
[0132]  ＲＳ識別子マネージャ７１５は、第２の送信ビームに関連付けられている基準信号識別子を識別し得る。いくつかのケースでは、基準信号の識別子は、ＳＳＢ基準信号、またはＰＢＣＨブロック基準信号、またはＣＳＩ基準信号、またはＳＲＳ、またはＢＲＳ、またはＢＲＲＳ、またはＴＲＳ、またはこれらの組合せを含み得る。
【０１２５】
[0133]  ＣＳＩリソース設定マネージャ７２０は、識別することに基づいて、基準信号識別子を含むようにＣＳＩリソース設定を更新し得、ここで、ＣＳＩリソース設定は、アクティブ送信ビームに関連付けられている。
【０１２６】
[0134]  ＵＥ  ＴＣＩマネージャ７２５は、基準信号識別子のインジケーションを提供する送信構成インデックスを受信し得る。いくつかの例では、ＵＥ  ＴＣＩマネージャ７２５は、送信構成インデックス中で示されている基準信号識別子のインジケーションに基づいて、アクティブ送信ビームが第２の送信ビームに変わったと決定し得る。いくつかの例では、ＵＥ  ＴＣＩマネージャ７２５は、送信構成インデックスから基準信号識別子を識別し得る。
【０１２７】
[0135]  ＢＳ  ＴＣＩマネージャ７３０は、アクティブ送信ビームが第２の送信ビームに変わったと決定することに基づいて、基準信号識別子のインジケーションを提供する送信構成インデックスを構成し得る。いくつかの例では、ＢＳ  ＴＣＩマネージャ７３０は、送信構成インデックスを送信し得る。
【０１２８】
[0136]  ＲＡＣＨマネージャ７３５は、第２の送信ビーム上でＲＡＣＨ信号を受信し得る。いくつかの例では、ＲＡＣＨマネージャ７３５は、ＲＡＣＨ信号に関連付けられた基準信号を識別し得る。
【０１２９】
[0137]  ビーム障害マネージャ７４０は、ビーム障害インジケーションを識別し得、ここで、第２の送信ビームに関連付けられた基準信号識別子を識別することは、ビーム障害回復送信ビームに基づく。いくつかのケースでは、第２の送信ビームに関連付けられている基準信号識別子は、アクティブ送信ビームのビーム障害検出のために使用される基準信号の識別子を含む。
【０１３０】
[0138]  チャネル測定マネージャ７４５は、リソースセット中で識別される１つまたは複数の基準信号に対してチャネル測定プロシージャを実行し得る。いくつかの例では、チャネル測定マネージャ７４５は、チャネル測定プロシージャの結果に関連付けられた情報を含むフィードバックメッセージを送信し得る。いくつかの例では、チャネル測定マネージャ７４５は、測定リンクを示すトリガ信号を受信し得、測定リンクは、チャネル測定プロシージャをリソースセットに関連付ける情報を含み、ここで、チャネル測定プロシージャは、トリガ信号に応答して、およびトリガ信号に基づいて開始される。
【０１３１】
[0139]  構成されたセットマネージャ７５０は、利用可能な基準信号の構成されたセットを識別し得、ここで、第２の送信ビームに関連付けられた基準信号識別子を識別することは、利用可能な基準信号の構成されたセットに基づく。いくつかの例では、構成されたセットマネージャ７５０は、基準信号識別子が利用可能な基準信号の構成されたセットに含まれていないと決定し得る。いくつかの例では、構成されたセットマネージャ７５０は、送信構成インデックスから基準信号識別子を識別し得る。
【０１３２】
[0140]  制御リソースセットマネージャ７５５は、第１のシンボルのための第１の制御リソースと第２のシンボルのための第２の制御リソースとを示す構成信号を受信し得、ここで、構成信号は、チャネル測定のために利用可能であるとして、第１の制御リソースまたは第２の制御リソースのいずれかを識別する。いくつかの例では、制御リソースセットマネージャ７５５は、構成信号に基づいて、識別された第１の制御リソースまたは識別された第２の制御リソースのいずれかを含むようにＣＳＩリソース設定を更新し得る。いくつかの例では、ＣＳＩリソース設定を更新することは、基準信号識別子を含むようにリソースセットを更新することを含む。いくつかのケースでは、リソースセットは、１つまたは複数の基準信号識別子を含み、ここで、各基準信号識別子は、対応するアクティブ送信ビームに関連付けられている。
【０１３３】
[0141]  図８は、本開示の態様による、アクティブビームのためのビーム報告をサポートするデバイス８０５を含むシステム８００の図を示す。デバイス８０５は、例えば、図１、図５、および図６を参照して、上記で説明されたような、デバイス５０５、デバイス６０５、またはＵＥ１１５のコンポーネントを含むか、またはその例であり得る。デバイス８０５は、通信マネージャ８１０、トランシーバ８２０、アンテナ８２５、メモリ８３０、プロセッサ８４０、およびＩ／Ｏコントローラ８５０を含む、通信を送信および受信するためのコンポーネントを含む双方向音声およびデータ通信のためのコンポーネントを含み得る。これらのコンポーネントは、１つまたは複数のバス（例えば、バス８５５）を介して電子通信状態にあり得る。
【０１３４】
[0142]  トランシーバ８２０は、上記で説明されたように、１つまたは複数のアンテナ、ワイヤードリンク、またはワイヤレスリンクを介して、双方向に通信し得る。例えば、トランシーバ８２０は、ワイヤレストランシーバを表し得、別のワイヤレストランシーバと双方向に通信し得る。トランシーバ８２０はまた、パケットを変調して、変調されたパケットを送信のためにアンテナに提供することと、アンテナから受信されたパケットを復調することとを行うためのモデムを含み得る。
【０１３５】
[0143]  いくつかのケースでは、ワイヤレスデバイスは、単一のアンテナ８２５を含み得る。しかしながら、いくつかのケースでは、デバイスは、１つより多くのアンテナ８２５を有し得、それらは、複数のワイヤレス送信を同時並行に（concurrently）送信または受信することが可能であり得る。
【０１３６】
[0144]  メモリ８３０は、ＲＡＭ、ＲＯＭ、またはこれらの組合せを含み得る。メモリ８３０は、プロセッサ（例えば、プロセッサ８４０）によって実行されると、デバイスに、本明細書で説明された様々な機能を実行させる命令を含むコンピュータ可読コード８３５を記憶し得る。いくつかのケースでは、メモリ８３０は、とりわけ、周辺コンポーネントまたはデバイスとのインタラクションなどの基本ハードウェアまたはソフトウェア動作を制御し得るＢＩＯＳを含み得る。
【０１３７】
[0145]  プロセッサ８４０は、インテリジェントハードウェアデバイス（例えば、汎用プロセッサ、ＤＳＰ、ＣＰＵ、マイクロコントローラ、ＡＳＩＣ、ＦＰＧＡ、プログラマブルロジックデバイス、ディスクリートゲートまたはトランジスタロジックコンポーネント、ディスクリートハードウェアコンポーネント、あるいはこれらの任意の組合せ）を含み得る。いくつかのケースでは、プロセッサ８４０は、メモリコントローラを使用してメモリアレイを動作させるように構成され得る。他のケースでは、メモリコントローラは、プロセッサ８４０に一体化され得る。プロセッサ８４０は、デバイス８０５に、様々な機能（例えば、アクティブビームのためのビーム報告をサポートする機能またはタスク）を実行させるために、メモリ（例えば、メモリ８３０）に記憶されたコンピュータ可読命令を実行するように構成され得る。
【０１３８】
[0146]  Ｉ／Ｏコントローラ８５０は、デバイス８０５のための入力および出力信号を管理し得る。Ｉ／Ｏコントローラ８５０はまた、デバイス８０５に一体化されていない周辺機器を管理し得る。いくつかのケースでは、Ｉ／Ｏコントローラ８５０は、外部周辺機器への物理的接続またはポートを表し得る。いくつかのケースでは、Ｉ／Ｏコントローラ８５０は、ｉＯＳ（登録商標）、ＡＮＤＲＯＩＤ（登録商標）、ＭＳ−ＤＯＳ（登録商標）、ＭＳ−ＷＩＮＤＯＷＳ（登録商標）、ＯＳ／２（登録商標）、ＵＮＩＸ（登録商標）、ＬＩＮＵＸ（登録商標）、または別の既知のオペレーティングシステムなどのオペレーティングシステムを利用し得る。他のケースでは、Ｉ／Ｏコントローラ８５０は、モデム、キーボード、マウス、タッチスクリーン、または同様のデバイスを表すか、またはそれらとインタラクトし得る。いくつかのケースでは、Ｉ／Ｏコントローラ８５０は、プロセッサの一部としてインプリメントされ得る。いくつかのケースでは、ユーザは、Ｉ／Ｏコントローラ８５０を介して、またはＩ／Ｏコントローラ８５０によって制御されるハードウェアコンポーネントを介して、デバイス８０５とインタラクトし得る。
【０１３９】
[0147]  コード８３５は、ワイヤレス通信をサポートするための命令を含む、本開示の態様をインプリメントするための命令を含み得る。コード８３５は、システムメモリまたは他のタイプのメモリなどの、非一時的なコンピュータ可読媒体に記憶され得る。いくつかのケースでは、コード８３５は、プロセッサ８４０によって直接的に実行可能でない場合があるが、（例えば、コンパイルされ、実行されると）コンピュータに、本明細書で説明された機能を実行させ得る。
【０１４０】
[0148]  図９は、本開示の態様による、アクティブビームのためのビーム報告をサポートするデバイス９０５を含むシステム９００の図を示す。デバイス９０５は、例えば、図１、図５、および図６を参照して、上記で説明されたような、デバイス５０５、デバイス６０５、または基地局１０５のコンポーネントを含むか、またはその例であり得る。デバイス９０５は、通信マネージャ９１０、ネットワーク通信マネージャ９１５、トランシーバ９２０、アンテナ９２５、メモリ９３０、プロセッサ９４０、および局間通信マネージャ（inter-station communications manager）９４５を含む、通信を送信および受信するためのコンポーネントを含む双方向音声およびデータ通信のためのコンポーネントを含み得る。これらのコンポーネントは、１つまたは複数のバス（例えば、バス９５５）を介して電子通信状態にあり得る。
【０１４１】
[0149]  ネットワーク通信マネージャ９１５は、（例えば、１つまたは複数のワイヤードバックホールリンクを介して）コアネットワークとの通信を管理し得る。例えば、ネットワーク通信マネージャ９１５は、１つまたは複数のＵＥ１１５などのクライアントデバイスのためのデータ通信の転送を管理し得る。
【０１４２】
[0150]  トランシーバ９２０は、上記で説明されたように、１つまたは複数のアンテナ、ワイヤードリンク、またはワイヤレスリンクを介して、双方向に通信し得る。例えば、トランシーバ９２０は、ワイヤレストランシーバを表し得、別のワイヤレストランシーバと双方向に通信し得る。トランシーバ９２０はまた、パケットを変調して、変調されたパケットを送信のためにアンテナに提供することと、アンテナから受信されたパケットを復調することとを行うためのモデムを含み得る。
【０１４３】
[0151]  いくつかのケースでは、ワイヤレスデバイスは、単一のアンテナ９２５を含み得る。しかしながら、いくつかのケースでは、デバイスは、１つより多くのアンテナ９２５を有し得、それらは、複数のワイヤレス送信を同時並行に送信または受信することが可能であり得る。
【０１４４】
[0152]  メモリ９３０は、ＲＡＭ、ＲＯＭ、またはこれらの組合せを含み得る。メモリ９３０は、プロセッサ（例えば、プロセッサ９４０）によって実行されると、デバイスに、本明細書で説明された様々な機能を実行させる命令を含むコンピュータ可読コード９３５を記憶し得る。いくつかのケースでは、メモリ９３０は、とりわけ、周辺コンポーネントまたはデバイスとのインタラクションなどの基本ハードウェアまたはソフトウェア動作を制御し得るＢＩＯＳを含み得る。
【０１４５】
[0153]  プロセッサ９４０は、インテリジェントハードウェアデバイス（例えば、汎用プロセッサ、ＤＳＰ、ＣＰＵ、マイクロコントローラ、ＡＳＩＣ、ＦＰＧＡ、プログラマブルロジックデバイス、ディスクリートゲートまたはトランジスタロジックコンポーネント、ディスクリートハードウェアコンポーネント、あるいはこれらの任意の組合せ）を含み得る。いくつかのケースでは、プロセッサ９４０は、メモリコントローラを使用してメモリアレイを動作させるように構成され得る。他のケースでは、メモリコントローラは、プロセッサ９４０に一体化され得る。プロセッサ９４０は、デバイス９０５に、様々な機能（例えば、アクティブビームのためのビーム報告をサポートする機能またはタスク）を実行させるために、メモリ（例えば、メモリ９３０）に記憶されたコンピュータ可読命令を実行するように構成され得る。
【０１４６】
[0154]  局間通信マネージャ９４５は、他の基地局１０５との通信を管理し得、他の基地局１０５と連携してＵＥ１１５との通信を制御するためのコントローラまたはスケジューラを含み得る。例えば、局間通信マネージャ９４５は、ビームフォーミングまたはジョイント送信などの様々な干渉緩和技法のために、ＵＥ１１５への送信についてのスケジューリングを調整し得る。いくつかの例では、局間通信マネージャ９４５は、基地局１０５間の通信を提供するために、ＬＴＥ／ＬＴＥ−Ａワイヤレス通信ネットワーク技術内のＸ２インターフェースを提供し得る。
【０１４７】
[0155]  コード９３５は、ワイヤレス通信をサポートするための命令を含む、本開示の態様をインプリメントするための命令を含み得る。コード９３５は、システムメモリまたは他のタイプのメモリなどの、非一時的なコンピュータ可読媒体に記憶され得る。いくつかのケースでは、コード９３５は、プロセッサ９４０によって直接的に実行可能でない場合があるが、（例えば、コンパイルされ、実行されると）コンピュータに、本明細書で説明された機能を実行させ得る。
【０１４８】
[0156]  図１０は、本開示の態様による、アクティブビームのためのビーム報告をサポートする方法１０００を例示するフローチャートを示す。方法１０００の動作は、本明細書で説明されたようなＵＥ１１５または基地局１０５またはそのコンポーネントによってインプリメントされ得る。例えば、方法１０００の動作は、図５〜図９を参照して説明されたような通信マネージャによって実行され得る。いくつかの例では、ＵＥまたは基地局は、以下で説明される機能を実行するために、ＵＥまたは基地局の機能的な要素を制御するための命令のセットを実行し得る。追加または代替として、ＵＥまたは基地局は、専用ハードウェアを使用して、以下で説明される機能の態様を実行し得る。
【０１４９】
[0157]  １００５において、ＵＥまたは基地局は、アクティブ送信ビームが第１の送信ビームから第２の送信ビームに変わったと決定し得、第２の送信ビームは、第１の送信ビームとは異なっている。１００５の動作は、本明細書で説明された方法に従って実行され得る。いくつかの例では、１００５の動作の態様は、図５〜図９を参照して説明されたようなアクティブビームマネージャによって実行され得る。
【０１５０】
[0158]  １０１０において、ＵＥまたは基地局は、第２の送信ビームに関連付けられている基準信号識別子を識別し得る。１０１０の動作は、本明細書で説明された方法に従って実行され得る。いくつかの例では、１０１０の動作の態様は、図５〜図９を参照して説明されたようなＲＳ識別子マネージャによって実行され得る。
【０１５１】
[0159]  １０１５において、ＵＥまたは基地局は、識別することに少なくとも部分的に基づいて、基準信号識別子を含むようにＣＳＩリソース設定を更新し得、ここにおいて、ＣＳＩリソース設定は、アクティブ送信ビームに関連付けられている。１０１５の動作は、本明細書で説明された方法に従って実行され得る。いくつかの例では、１０１５の動作の態様は、図５〜図９を参照して説明されたようなＣＳＩリソース設定マネージャによって実行され得る。
【０１５２】
[0160]  図１１は、本開示の態様による、アクティブビームのためのビーム報告をサポートする方法１１００を例示するフローチャートを示す。方法１１００の動作は、本明細書で説明されたようなＵＥ１１５または基地局１０５またはそのコンポーネントによってインプリメントされ得る。例えば、方法１１００の動作は、図５〜図９を参照して説明されたような通信マネージャによって実行され得る。いくつかの例では、ＵＥまたは基地局は、以下で説明される機能を実行するために、ＵＥまたは基地局の機能的な要素を制御するための命令のセットを実行し得る。追加または代替として、ＵＥまたは基地局は、専用ハードウェアを使用して、以下で説明される機能の態様を実行し得る。
【０１５３】
[0161]  １１０５において、ＵＥまたは基地局は、アクティブ送信ビームが第１の送信ビームから第２の送信ビームに変わったと決定し得、第２の送信ビームは、第１の送信ビームとは異なっている。１１０５の動作は、本明細書で説明された方法に従って実行され得る。いくつかの例では、１１０５の動作の態様は、図５〜図９を参照して説明されたようなアクティブビームマネージャによって実行され得る。
【０１５４】
[0162]  １１１０において、ＵＥまたは基地局は、第２の送信ビームに関連付けられている基準信号識別子を識別し得る。１１１０の動作は、本明細書で説明された方法に従って実行され得る。いくつかの例では、１１１０の動作の態様は、図５〜図９を参照して説明されたようなＲＳ識別子マネージャによって実行され得る。
【０１５５】
[0163]  １１１５において、ＵＥまたは基地局は、識別することに少なくとも部分的に基づいて、基準信号識別子を含むようにＣＳＩリソース設定を更新し得、ここにおいて、ＣＳＩリソース設定は、アクティブ送信ビームに関連付けられている。１１１５の動作は、本明細書で説明された方法に従って実行され得る。いくつかの例では、１１１５の動作の態様は、図５〜図９を参照して説明されたようなＣＳＩリソース設定マネージャによって実行され得る。
【０１５６】
[0164]  １１２０において、ＵＥまたは基地局は、基準信号識別子のインジケーションを提供する送信構成インデックスを受信し得る。１１２０の動作は、本明細書で説明された方法に従って実行され得る。いくつかの例では、１１２０の動作の態様は、図５〜図９を参照して説明されたようなＵＥ  ＴＣＩマネージャによって実行され得る。
【０１５７】
[0165]  １１２５において、ＵＥまたは基地局は、送信構成インデックスにおいて示されている基準信号識別子のインジケーションに少なくとも部分的に基づいて、アクティブ送信ビームが第２の送信ビームに変わったと決定し得る。１１２５の動作は、本明細書で説明された方法に従って実行され得る。いくつかの例では、１１２５の動作の態様は、図５〜図９を参照して説明されたようなＵＥ  ＴＣＩマネージャによって実行され得る。
【０１５８】
[0166]  図１２は、本開示の態様による、アクティブビームのためのビーム報告をサポートする方法１２００を例示するフローチャートを示す。方法１２００の動作は、本明細書で説明されたようなＵＥ１１５または基地局１０５またはそのコンポーネントによってインプリメントされ得る。例えば、方法１２００の動作は、図５〜図９を参照して説明されたような通信マネージャによって実行され得る。いくつかの例では、ＵＥまたは基地局は、以下で説明される機能を実行するために、ＵＥまたは基地局の機能的な要素を制御するための命令のセットを実行し得る。追加または代替として、ＵＥまたは基地局は、専用ハードウェアを使用して、以下で説明される機能の態様を実行し得る。
【０１５９】
[0167]  １２０５において、ＵＥまたは基地局は、アクティブ送信ビームが第１の送信ビームから第２の送信ビームに変化したと決定し得、第２の送信ビームは、第１の送信ビームとは異なっている。１２０５の動作は、本明細書で説明された方法に従って実行され得る。いくつかの例では、１２０５の動作の態様は、図５〜図９を参照して説明されたようなアクティブビームマネージャによって実行され得る。
【０１６０】
[0168]  １２１０において、ＵＥまたは基地局は、第２の送信ビームに関連付けられている基準信号識別子を識別し得る。１２１０の動作は、本明細書で説明された方法に従って実行され得る。いくつかの例では、１２１０の動作の態様は、図５〜図９を参照して説明されたようなＲＳ識別子マネージャによって実行され得る。
【０１６１】
[0169]  １２１５において、ＵＥまたは基地局は、識別することに少なくとも部分的に基づいて、基準信号識別子を含むようにＣＳＩリソース設定を更新し得、ここにおいて、ＣＳＩリソース設定は、アクティブ送信ビームに関連付けられている。１２１５の動作は、本明細書で説明された方法に従って実行され得る。いくつかの例では、１２１５の動作の態様は、図５〜図９を参照して説明されたようなＣＳＩリソース設定マネージャによって実行され得る。
【０１６２】
[0170]  １２２０において、ＵＥまたは基地局は、リソースセット中で識別される１つまたは複数の基準信号に対してチャネル測定プロシージャを実行し得る。１２２０の動作は、本明細書で説明された方法に従って実行され得る。いくつかの例では、１２２０の動作の態様は、図５〜図９を参照して説明されたようなチャネル測定マネージャによって実行され得る。
【０１６３】
[0171]  １２２５において、ＵＥまたは基地局は、チャネル測定プロシージャの結果に関連付けられた情報を備えるフィードバックメッセージを送信し得る。１２２５の動作は、本明細書で説明された方法に従って実行され得る。いくつかの例では、１２２５の動作の態様は、図５〜図９を参照して説明されたようなチャネル測定マネージャによって実行され得る。
【０１６４】
[0172]  上記で説明された方法は、可能なインプリメンテーションを説明しており、動作およびステップは、再構成または他の方法で修正され得、他のインプリメンテーションが可能であることに留意されたい。さらに、これら方法のうちの２つ以上からの態様が組み合わされ得る。
【０１６５】
[0173]  本明細書で説明された技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、および他のシステムなどの、様々なワイヤレス通信システムのために使用され得る。ＣＤＭＡシステムは、ＣＤＭＡ２０００、ユニバーサル地上無線アクセス（ＵＴＲＡ）などのような無線技術をインプリメントし得る。ＣＤＭＡ２０００は、ＩＳ−２０００、ＩＳ−９５、およびＩＳ−８５６規格をカバーする。ＩＳ−２０００リリースは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ）などと呼ばれる。ＵＴＲＡは、広帯域ＣＤＭＡ（ＷＣＤＭＡ（登録商標））およびＣＤＭＡの他の変形を含む。ＴＤＭＡシステムは、モバイル通信のためのグローバルシステム（ＧＳＭ（登録商標））などの無線技術をインプリメントし得る。
【０１６６】
[0174]  ＯＦＤＭＡシステムは、ウルトラモバイルブロードバンド（ＵＭＢ）、発展型ＵＴＲＡ（Ｅ−ＵＴＲＡ）、米国電気電子学会（ＩＥＥＥ）８０２．１１（Ｗｉ−Ｆｉ）、ＩＥＥＥ８０２．１６（ＷｉＭＡＸ）、ＩＥＥＥ８０２．２０、フラッシュ−ＯＦＤＭなどのような無線技術をインプリメントし得る。ＵＴＲＡおよびＥ−ＵＴＲＡは、ユニバーサルモバイルテレコミュニケーションズシステム（ＵＭＴＳ）の一部である。ＬＴＥ、ＬＴＥ−Ａ、およびＬＴＥ−Ａ  Ｐｒｏは、Ｅ−ＵＴＲＡを使用するＵＭＴＳのリリースである。ＵＴＲＡ、Ｅ−ＵＴＲＡ、ＵＭＴＳ、ＬＴＥ、ＬＴＥ−Ａ、ＬＴＥ−Ａ  Ｐｒｏ、ＮＲ、およびＧＳＭは、「第３世代パートナーシッププロジェクト」（３ＧＰＰ（登録商標））という名称の団体からの文書に説明されている。ＣＤＭＡ２０００およびＵＭＢは、「第３世代パートナーシッププロジェクト２」（３ＧＰＰ２）という名称の団体からの文書に説明されている。本明細書で説明された技法は、上述されたシステムおよび無線技術、ならびに他のシステムおよび無線技術のために使用され得る。ＬＴＥ、ＬＴＥ−Ａ、ＬＴＥ−Ａ  Ｐｒｏ、またはＮＲシステムの態様が、例を目的として説明され得、ＬＴＥ、ＬＴＥ−Ａ、ＬＴＥ−Ａ  Ｐｒｏ、またはＮＲの専門用語が、説明の大部分において使用され得る一方で、本明細書で説明された技法は、ＬＴＥ、ＬＴＥ−Ａ、ＬＴＥ−Ａ  Ｐｒｏ、またはＮＲアプリケーションを超えて適用可能である。
【０１６７】
[0175]  マクロセルは、一般に、比較的大きい地理的エリア（例えば、半径数キロメートル）をカバーし、ネットワークプロバイダにサービス加入しているＵＥ１１５による無制限のアクセスを可能にし得る。スモールセルは、マクロセルと比較して、より低電力の基地局１０５に関連付けられ得、スモールセルは、マクロセルと同じまたは異なる（例えば、ライセンス、アンライセンスなどの）周波数帯域で動作し得る。スモールセルは、様々な例に従って、ピコセル、フェムトセル、およびマイクロセルを含み得る。ピコセルは、例えば、小さい地理的エリアをカバーし得、ネットワークプロバイダにサービス加入しているＵＥ１１５による無制限のアクセスを可能にし得る。フェムトセルもまた、小さい地理的エリア（例えば、自宅）をカバーし得、フェムトセルとのアソシエーションを有するＵＥ１１５（例えば、限定加入者グループ（ＣＳＧ）中のＵＥ１１５、自宅内のユーザのためのＵＥ１１５など）による制限付きアクセスを提供し得る。マクロセルのためのｅＮＢは、マクロｅＮＢと呼ばれ得る。スモールセルのためのｅＮＢは、スモールセルｅＮＢ、ピコｅＮＢ、フェムトｅＮＢ、またはホームｅＮＢと呼ばれ得る。ｅＮＢは、１つまたは複数（例えば、２つ、３つ、４つなど）のセルをサポートし得、また、１つまたは複数のコンポーネントキャリアを使用して通信をサポートし得る。
【０１６８】
[0176]  本明細書で説明されたワイヤレス通信システム１００または複数のシステムは、同期または非同期動作をサポートし得る。同期動作の場合、複数の基地局１０５は、同様のフレームタイミングを有し得、異なる基地局１０５からの送信は、ほぼ時間的に揃えられ得る。非同期動作の場合、複数の基地局１０５は、異なるフレームタイミングを有し得、異なる基地局１０５からの送信は、時間的に揃えられていない場合がある。本明細書で説明された技法は、同期または非同期動作のいずれかのために使用され得る。
【０１６９】
[0177]  本明細書で説明された情報および信号は、様々な異なる技術および技法のうちの任意のものを使用して表され得る。例えば、上記説明の全体にわたって参照され得るデータ、命令、コマンド、情報、信号、ビット、シンボル、およびチップは、電圧、電流、電磁波、磁場または磁性粒子、光場または光粒子、あるいはこれらの任意の組合せによって表され得る。
【０１７０】
[0178]  本明細書の開示に関連して説明された、様々な例示的なブロックおよびモジュールは、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブルロジックデバイス（ＰＬＤ）、ディスクリートゲートまたはトランジスタロジック、ディスクリートハードウェアコンポーネント、あるいは本明細書で説明された機能を実行するように設計されたこれらの任意の組合せを用いてインプリメントまたは実行され得る。汎用プロセッサは、マイクロプロセッサであり得るが、代替として、このプロセッサは、任意の従来のプロセッサ、コントローラ、マイクロコントローラ、またはステートマシン（state machine）であり得る。プロセッサはまた、コンピューティングデバイスの組合せ（例えば、ＤＳＰとマイクロプロセッサの組合せ、複数のマイクロプロセッサ、ＤＳＰコアと連携した１つまたは複数のマイクロプロセッサ、あるいはその他任意のそのような構成）としてインプリメントされ得る。
【０１７１】
[0179]  本明細書で説明された機能は、ハードウェア、プロセッサによって実行されるソフトウェア、ファームウェア、またはこれらの任意の組合せでインプリメントされ得る。プロセッサによって実行されるソフトウェアでインプリメントされる場合、これら機能は、コンピュータ可読媒体上で、１つまたは複数の命令またはコードとして記憶または送信され得る。他の例およびインプリメンテーションは、添付の特許請求の範囲および本開示の範囲内にある。例えば、ソフトウェアの性質により、上記で説明された機能は、プロセッサ、ハードウェア、ファームウェア、ハードワイヤリング、またはこれらの任意の組合せによって実行されるソフトウェアを使用してインプリメントされ得る。機能をインプリメントする特徴はまた、様々な位置に物理的に位置し得、機能の部分が異なる物理的なロケーションにおいてインプリメントされるように分散されていることを含む。
【０１７２】
[0180]  コンピュータ可読媒体は、１つの場所から別の場所へのコンピュータプログラムの転送を容易にする任意の媒体を含む通信媒体と非一時的なコンピュータ記憶媒体との両方を含む。非一時的な記憶媒体は、汎用または専用コンピュータによってアクセスされ得る任意の利用可能な媒体であり得る。限定ではなく例として、非一時的なコンピュータ可読媒体は、ランダムアクセスメモリ（ＲＡＭ）、読取専用メモリ（ＲＯＭ）、電気的消去可能プログラマブル読取専用メモリ（ＥＥＰＲＯＭ（登録商標））、フラッシュメモリ、コンパクトディスク（ＣＤ）ＲＯＭまたは他の光ディスク記憶装置、磁気ディスク記憶装置または他の磁気記憶デバイス、あるいは、命令またはデータ構造の形で所望のプログラムコード手段を搬送または記憶するために使用され得、かつ、汎用または専用コンピュータ、あるいは汎用または専用プロセッサによってアクセスされ得る、その他任意の非一時的な媒体を含み得る。また、任意の接続は、厳密にはコンピュータ可読媒体と称される。例えば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他の遠隔ソースから送信される場合には、同軸ケーブル、光ファイバーケーブル、ツイストペア、ＤＳＬ、または赤外線、無線、およびマイクロ波などのワイヤレス技術は、媒体の定義に含まれる。本明細書で使用される場合、ディスク（disk）およびディスク（disc）は、ＣＤ、レーザーディスク（登録商標）、光ディスク、デジタル多目的ディスク（ＤＶＤ）、フロッピー（登録商標）ディスクおよびブルーレイディスクを含み、ここでディスク（disks）は、通常磁気的にデータを再生し、一方ディスク（discs）は、レーザーを用いて光学的にデータを再生する。上記の組合せもまた、コンピュータ可読媒体の範囲内に含まれる。
【０１７３】
[0181]  特許請求の範囲を含め、本明細書で使用される場合、アイテムの列挙（例えば、「〜のうちの少なくとも１つ」または「〜のうちの１つまたは複数」といった表現で始まるアイテムの列挙）中で使用される「または（or）」は、例えば、Ａ、Ｂ、またはＣのうちの少なくとも１つという列挙が、ＡまたはＢまたはＣまたはＡＢまたはＡＣまたはＢＣまたはＡＢＣ（すなわち、ＡおよびＢおよびＣ）を意味するような、包含的な列挙を示す。また、本明細書で使用される場合、「〜に基づく」という表現は、条件の閉集合への参照として解釈されないものとする。例えば、「条件Ａに基づく」と説明された例示的なステップは、本開示の範囲から逸脱することなく、条件Ａと条件Ｂの両方に基づき得る。換言すれば、本明細書で使用される場合、「〜に基づく」という表現は、「〜に少なくとも部分的に基づく」という表現と同様に解釈されるものとする。
【０１７４】
[0182]  添付の図面では、同様のコンポーネントまたは特徴は、同じ参照ラベルを有し得る。さらに、同じタイプの様々なコンポーネントは、参照ラベルの後に、ダッシュと、同様のコンポーネント同士を区別する第２のラベルとを続けることによって区別され得る。第１の参照ラベルのみが本明細書において使用される場合、その説明は、第２の参照ラベル、または他の後続の参照ラベルにかかわらず、同じ第１の参照ラベルを有する同様のコンポーネントのうちの任意の１つに適用可能である。
【０１７５】
[0183]  添付の図面に関連して、本明細書に示された説明は、例となる構成を説明しており、インプリメントされ得るまたは特許請求の範囲内にある全ての例を表すものではない。本明細書で使用される「例示的（exemplary）」という用語は、「好ましい」または「他の例よりも有利である」ということではなく、「例、事例、または例示を提供する」を意味する。詳細な説明は、説明された技法の理解を提供することを目的とした特定の詳細を含む。しかしながら、これらの技法は、これらの特定の詳細なしで実施され得る。いくつかの事例では、周知の構造およびデバイスは、説明された例の概念を曖昧にすることを避けるために、ブロック図形式で示される。
【０１７６】
[0184]  本明細書の説明は、当業者が本開示を製造または使用することを可能にするために提供された。本開示への様々な修正は、当業者には容易に明らかとなり、本明細書で定義した一般原理は、本開示の範囲から逸脱することなく、他の変形形態に適用され得る。したがって、本開示は、本明細書で説明された例および設計に限定されず、本明細書で開示された原理および新規の特徴に合致する最も広い範囲を与えられることとなる。
【図１】
2021515474.tif 000003
【図２】
2021515474.tif 000004
【図３】
2021515474.tif 000005
【図４】
2021515474.tif 000006
【図５】
2021515474.tif 000007
【図６】
2021515474.tif 000008
【図７】
2021515474.tif 000009
【図８】
2021515474.tif 000010
【図９】
2021515474.tif 000011
【図１０】
2021515474.tif 000012
【図１１】
2021515474.tif 000013
【図１２】
2021515474.tif 000014
【国際調査報告】
2021515474.tif 000015
2021515474.tif 000016